(57)【要約】【課題】本発明は、移動端末装置が現に在圏しているはずの在圏エリアの通信事業者とは異なる通信事業者に信号を送信してしまうのを防止する加入者情報管理装置、中継装置、それらを備えた通信システム、加入者情報管理装置及び中継装置の通信用プログラム、通信システムの通信方法を提供することを目的とする。【解決手段】ＨＳＳ１１は、位置登録信号に含まれた端末識別情報に対応付けて３Ｇ又はＬＴＥ在圏情報及び最新在圏情報を記憶する情報記憶部１１ｂと、ＧＭＬＣ５から要求された、移動端末装置２３の端末識別情報を含む在圏情報取得要求に基づいて、情報記憶部１１ｂを参照し、在圏情報取得要求に含まれた端末識別情報と同一の端末識別情報に対応付けられた３Ｇ及びＬＴＥ在圏情報並びに最新在圏情報を取得する在圏情報取得部１１ｃとを有している。【選択図】図２
2014103550.tif 000002
【特許請求の範囲】
【請求項１】
移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する、ホーム網の加入者情報管理装置であって、
移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含み、前記通信事業者から送信された位置登録信号を受信する位置登録信号受信部と、
前記情報格納部と、前記情報格納部に格納された第１及び第２在圏情報のいずれが最新の情報であるのかを判定可能な最新在圏情報が格納される最新在圏情報格納部とを備え、前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて前記最新在圏情報格納部に格納された最新在圏情報を更新し、更新された前記最新在圏情報を前記位置登録信号に含まれた前記端末識別情報に対応付けて記憶する情報記憶部と、
前記ホーム網の中継装置から要求された、移動端末装置の端末識別情報を含む在圏情報取得要求に基づいて、前記情報記憶部を参照し、前記在圏情報取得要求に含まれた前記端末識別情報と同一の端末識別情報に対応付けられた第１及び第２在圏情報並びに最新在圏情報を取得する在圏情報取得部と、
取得された前記第１及び第２在圏情報並びに前記最新在圏情報を前記ホーム網の中継装置に送信する在圏情報送信部と
を有することを特徴とする加入者情報管理装置。
【請求項２】
前記最新在圏情報は、前記位置登録信号に含まれた前記事業者識別情報を含むこと
を特徴とする請求項１記載の加入者情報管理装置。
【請求項３】
前記第２通信方式は、前記第１通信方式に対して次世代の通信方式であること
を特徴とする請求項１又は２に記載の加入者情報管理装置。
【請求項４】
第１通信方式の第１在圏エリアと、前記第１通信方式と異なる通信方式である第２通信方式の第２在圏エリアとを含み、ローミング先であるローミング網に在圏する移動端末装置との間でデータを送受信する、ホーム網の中継装置であって、
前記第１又は第２在圏エリアに在圏している移動端末装置からの要求に基づいて所定の通信サービスを提供する通信サービス事業者から送信され、前記移動端末装置の端末識別情報を含む通信サービス要求を取得する通信サービス要求取得部と、
前記通信サービス要求を取得したことに基づいて、請求項１から３までのいずれか一項に記載の加入者情報管理装置を参照し、前記通信サービス要求に含まれる前記端末識別情報と同一の端末識別情報に対応付けられた第１及び第２在圏情報並びに最新在圏情報を取得する在圏情報取得部と、
取得した前記第１及び第２在圏情報並びに最新在圏情報に基づいて、前記第１在圏情報が最新であるのか否かを判定する最新在圏情報判定部と、
前記最新在圏情報判定部が前記第１在圏情報が最新であると判定した場合には、前記移動端末装置のローミング先の在圏エリアを提供する通信事業者に対してサービス要求信号を送信し、前記最新在圏情報判定部が前記第１在圏情報が最新でないと判定した場合には、前記通信サービス事業者に対して不応答判定結果情報を送信する判定結果情報送信部と
を有することを特徴とする中継装置。
【請求項５】
取得された前記第１在圏情報によって特定される前記第１在圏エリアを管理する第１通信事業者と、取得された前記第２在圏情報によって特定される前記第２在圏エリアを管理する第２通信事業者とが異なっており、
前記最新在圏情報判定部が、取得した前記最新在圏情報によって特定される通信事業者が前記第１通信事業者と同一であって前記第１在圏情報が最新であると判定した場合にのみ、
前記判定結果情報送信部は、前記在圏エリアを提供する通信事業者に対して前記サービス要求信号を送信すること
を特徴とする請求項４記載の中継装置。
【請求項６】
取得された前記第１在圏情報によって特定される前記第１在圏エリアを管理する第１通信事業者と、取得された前記第２在圏情報によって特定される前記第２在圏エリアを管理する第２通信事業者とが異なっており、
前記最新在圏情報判定部が、取得した前記最新在圏情報によって特定される通信事業者が前記第１又は第２通信事業者の少なくともいずれか一方と同一であると判定した場合には、
前記判定結果情報送信部は、前記在圏エリアを提供する通信事業者に対して前記サービス要求信号を送信すること
を特徴とする請求項４記載の中継装置。
【請求項７】
移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する加入者情報管理装置と、前記第１在圏エリアと前記第２在圏エリアとを含み、ローミング先であるローミング網に在圏する移動端末装置との間でデータを送受信する中継装置とを備えたホーム網の通信システムであって、
前記加入者情報管理装置は、請求項１から３までのいずれか一項に記載の加入者情報管理装置であり、
前記中継装置は、請求項４から６までのいずれか一項に記載の中継装置であること
を特徴とする通信システム。
【請求項８】
移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する、ホーム網の加入者情報管理装置の通信用プログラムであって、
コンピュータを、
移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含み、前記通信事業者から送信された位置登録信号を受信する位置登録信号受信部、
前記情報格納部と、前記情報格納部に格納された第１及び第２在圏情報のいずれが最新の情報であるのかを判定可能な最新在圏情報が格納される最新在圏情報格納部とを備え、前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて前記最新在圏情報格納部に格納された最新在圏情報を更新し、更新された前記最新在圏情報を前記位置登録信号に含まれた前記端末識別情報に対応付けて記憶する情報記憶部、
前記ホーム網の中継装置から要求された、移動端末装置の端末識別情報を含む在圏情報取得要求に基づいて、前記情報記憶部を参照し、前記在圏情報取得要求に含まれた前記端末識別情報と同一の端末識別情報に対応付けられた第１及び第２在圏情報並びに最新在圏情報を取得する在圏情報取得部、
取得された前記第１及び第２在圏情報並びに前記最新在圏情報を前記ホーム網の中継装置に送信する在圏情報送信部として機能させること
を特徴とする加入者情報管理装置の通信用プログラム。
【請求項９】
第１通信方式の第１在圏エリアと、前記第１通信方式と異なる通信方式である第２通信方式の第２在圏エリアとを含み、ローミング先であるローミング網に在圏する移動端末装置との間でデータを送受信する、ホーム網の中継装置の通信用プログラムであって、
コンピュータを、
前記第１又は第２在圏エリアに在圏している移動端末装置からの要求に基づいて所定の通信サービスを提供する通信サービス事業者から送信され、前記移動端末装置の端末識別情報を含む通信サービス要求を取得する通信サービス要求取得部、
前記通信サービス要求を取得したことに基づいて、請求項１記載の加入者情報管理装置を参照し、前記通信サービス要求に含まれる前記端末識別情報と同一の端末識別情報に対応付けられた第１及び第２在圏情報並びに最新在圏情報を取得する在圏情報取得部、
取得した前記第１及び第２在圏情報並びに最新在圏情報に基づいて、前記第１在圏情報が最新であるのか否かを判定する最新在圏情報判定部、及び、
前記最新在圏情報判定部が前記第１在圏情報が最新であると判定した場合には、前記移動端末装置のローミング先の在圏エリアを提供する通信事業者に対してサービス要求信号を送信し、前記最新在圏情報判定部が前記第１在圏情報が最新でないと判定した場合には、前記通信サービス事業者に対して不応答判定結果情報を送信する判定結果情報送信部として機能させること
を特徴とする中継装置の通信用プログラム。
【請求項１０】
移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する加入者情報管理装置と、前記第１在圏エリアと前記第２在圏エリアとを含みローミング先であるローミング網に在圏する移動端末装置との間でデータを送受信する中継装置とを備えたホーム網の通信システムの通信方法であって、
前記加入者情報管理装置において、
移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含む位置登録信号を受信し、
前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて、前記情報格納部に格納された第１及び第２在圏情報のいずれが最新の情報であるのかを判定可能な最新在圏情報が格納される最新在圏情報格納部を更新し、更新された最新在圏情報を前記位置登録信号に含まれた前記端末識別情報に対応付けて記憶し、
前記第１又は第２在圏エリアに在圏している移動端末装置からの要求に基づいて所定の通信サービスを提供する通信サービス事業者から送信され、前記移動端末装置の端末識別情報を含む通信サービス要求を取得し、
前記通信サービス要求を取得したことに基づいて、前記在圏情報取得要求に含まれた前記端末識別情報と同一の端末識別情報に対応付けられた第１及び第２在圏情報並びに最新在圏情報を取得し、
取得した前記第１及び第２在圏情報並びに前記最新在圏情報を前記中継装置に送信し、
前記中継装置において、
前記加入者情報管理装置から送信された前記第１及び第２在圏情報並びに前記最新在圏情報を取得し、
取得した前記第１及び第２在圏情報並びに前記最新在圏情報に基づいて、前記第１在圏情報が最新であるのか否かを判定し、
前記第１在圏情報が最新であると判定された場合には、前記移動端末装置のローミング先の在圏エリアを提供する通信事業者に対してサービス要求信号を送信し、前記第１在圏情報が最新でないと判定された場合には、前記通信サービス事業者に対して不応答判定結果情報を送信すること
を特徴とする通信システムの通信方法。
【発明の詳細な説明】
【技術分野】
【０００１】
本発明は、ローミング先であるローミング網に在圏する移動端末装置の端末識別情報等の加入者情報を管理したり移動端末装置との間でデータを送受信したりする、加入者情報管理装置、中継装置、それらを備えた通信システム、加入者情報管理装置及び中継装置の通信用プログラム、通信システムの通信方法に関する。
【背景技術】
【０００２】
ＬＴＥ（Ｌｏｎｇ  Ｔｅｒｍ  Ｅｖｏｌｕｔｉｏｎ）ローミングの提供が開始されると、ローミングアウト先であるローミング網からホーム網に対してＬＴＥ方式による無線通信が可能となる。ローミングに関し、特許文献１には、基地局装置は、ローミング要求に含まれるユーザ契約情報及び記憶部に格納したローミング事業者リストに基づいて、ユーザがローミングサービスを利用可能なユーザであるか否かを判定することが開示されている。また、特許文献２には、当該通信装置は、基地局から送信された事業者コードと、データベースに予め記憶されている事業者コードとを比較し、一致・不一致に応じて所定のヘルプ情報をディスプレイに表示することが開示されている。
【先行技術文献】
【特許文献】
【０００３】
【特許文献１】特開２０１１−４４８９３号公報
【特許文献２】特開２００８−２４４５１３号公報
【発明の概要】
【発明が解決しようとする課題】
【０００４】
ＬＴＥローミングサービス提供の開始直後から、全ての通信事業者が当該サービスに対応できるだけのサービスレベルを有するとは限られない。このため、ホーム網ネットワークを構成する通信システムは、ＬＴＥローミングサービスに対応していない通信事業者に対してＬＴＥサービスに関連する信号を送信してしまう可能性があるという問題を有している。また、当該通信システムは、ユーザ登録された移動端末装置のローミング先の在圏情報として、３Ｇ（第３世代移動通信システム）方式による在圏エリアに関する情報である３Ｇ在圏情報と、ＬＴＥ方式による在圏エリアに関する情報であるＬＴＥ在圏情報とを有している。特に、ＬＴＥ及び３Ｇ間の切り替え時の位置登録信号削減機能（Ｉｄｌｅ  ｍｏｄｅ  Ｓｉｇｎａｌｉｎｇ  Ｒｅｄｕｃｔｉｏｎ（ＩＳＲ）機能）を備えた通信システムは、３Ｇ在圏情報とＬＴＥ在圏情報の双方を有している。ローミング先の移動端末装置から通信サービス要求が実行された場合、当該通信システムは、当該移動端末装置のローミング先の通信事業者をＬＴＥ在圏情報から導出すべきか、３Ｇ在圏情報から導出すべきかを判断できず、当該移動端末装置が在圏していない在圏エリアの通信事業者にサービス要求信号を送信してしまう可能性があるという問題を有している。
【０００５】
本発明の目的は、移動端末装置が現に在圏しているはずの在圏エリアの通信事業者とは異なる通信事業者にサービス要求信号を送信してしまうのを防止する加入者情報管理装置、中継装置、それらを備えた通信システム、加入者情報管理装置及び中継装置の通信用プログラム、通信システムの通信方法を提供することにある。
【課題を解決するための手段】
【０００６】
上記目的を達成するために、本発明の一態様による加入者情報管理装置は、移動端末装置の端末識別情報と、第１通信方式の第１在圏エリアを特定可能な第１在圏情報と、前記第１通信方式と異なる通信方式である第２通信方式の第２在圏エリアと前記第２在圏エリアを管理する通信事業者とを特定可能な第２在圏情報とが個別に格納される情報格納部を備え、互いに対応付けられて前記情報格納部に格納された前記端末識別情報と前記第１及び第２在圏情報とを加入者情報として管理する、ホーム網の加入者情報管理装置であって、ローミング中の移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含み、前記通信事業者から送信された位置登録信号を受信する位置登録信号受信部と、前記情報格納部と、前記情報格納部に格納された第１及び第２在圏情報のいずれが最新の情報であるのかを判定可能な最新在圏情報が格納される最新在圏情報格納部とを備え、前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて前記最新在圏情報格納部に格納された最新在圏情報を更新し、更新された前記最新在圏情報を前記位置登録信号に含まれた前記端末識別情報に対応付けて記憶する情報記憶部と、前記ホーム網の中継装置から要求された、移動端末装置の端末識別情報を含む在圏情報取得要求に基づいて、前記情報記憶部を参照し、前記在圏情報取得要求に含まれた前記端末識別情報と同一の端末識別情報に対応付けられた第１及び第２在圏情報並びに最新在圏情報を取得する在圏情報取得部と、取得された前記第１及び第２在圏情報並びに前記最新在圏情報を前記ホーム網の中継装置に送信する在圏情報送信部とを有することを特徴とする。このような構成によれば、移動端末装置が現に在圏しているはずの在圏エリアの通信事業者とは異なる通信事業者に信号を送信してしまうのを防止できる。
【０００７】
また、前記最新在圏情報は、前記位置登録信号に含まれた前記事業者識別情報を含み得る。このような構成によれば、移動端末装置が現に在圏しているはずの在圏エリアの通信事業者とは異なる通信事業者に信号を送信してしまうのを防止できる。
また、前記第２通信方式は、前記第１通信方式に対して次世代の通信方式であり得る。このような構成によれば、移動端末装置が現に在圏しているはずの在圏エリアの通信事業者とは異なる通信事業者であってＬＴＥ通信方式の通信事業者に信号を送信してしまうのを防止できる。
【０００８】
また、上記目的を達成するために、本発明の一態様による中継装置は、第１通信方式の第１在圏エリアと、前記第１通信方式と異なる通信方式である第２通信方式の第２在圏エリアとを含み、ローミング先であるローミング網に在圏する移動端末装置との間でデータを送受信する、ホーム網の中継装置であって、前記第１又は第２在圏エリアに在圏している移動端末装置からの要求に基づいて所定の通信サービスを提供する通信サービス事業者から送信され、前記移動端末装置の端末識別情報を含む通信サービス要求を取得する通信サービス要求取得部と、前記通信サービス要求を取得したことに基づいて、上記一態様の加入者情報管理装置を参照し、前記通信サービス要求に含まれる前記端末識別情報と同一の端末識別情報に対応付けられた第１及び第２在圏情報並びに最新在圏情報を取得する在圏情報取得部と、取得した前記第１及び第２在圏情報並びに最新在圏情報に基づいて、前記第１在圏情報が最新であるのか否かを判定する最新在圏情報判定部と、前記最新在圏情報判定部が前記第１在圏情報が最新であると判定した場合には、前記移動端末装置のローミング先の在圏エリアを提供する通信事業者に対してサービス要求信号を送信し、前記最新在圏情報判定部が前記第１在圏情報が最新でないと判定した場合には、前記通信サービス事業者に対して不応答判定結果情報を送信する判定結果情報送信部とを有することを特徴とする。このような構成によれば、移動端末装置が現に在圏しているはずの在圏エリアの通信事業者とは異なる通信事業者に信号を送信してしまうのを防止できる。
【０００９】
また、取得された前記第１在圏情報によって特定される前記第１在圏エリアを管理する第１通信事業者と、取得された前記第２在圏情報によって特定される前記第２在圏エリアを管理する第２通信事業者とが異なっており、前記最新在圏情報判定部が、取得した前記最新在圏情報によって特定される通信事業者が前記第１通信事業者と同一であって前記第１在圏情報が最新であると判定した場合にのみ、前記判定結果情報送信部は、前記在圏エリアを提供する通信事業者に対して前記サービス要求信号を送信し得る。このような構成によれば、第２通信事業者に信号を送信してしまうのを一律に防止できる。
【００１０】
また、取得された前記第１在圏情報によって特定される前記第１在圏エリアを管理する第１通信事業者と、取得された前記第２在圏情報によって特定される前記第２在圏エリアを管理する第２通信事業者とが異なっており、前記最新在圏情報判定部が、取得した前記最新在圏情報によって特定される通信事業者が前記第１又は第２通信事業者の少なくともいずれか一方と同一であると判定した場合には、前記判定結果情報送信部は、前記在圏エリアを提供する通信事業者に対して前記サービス要求信号を送信し得る。このような構成によれば、移動端末装置が現に在圏している在圏エリアを管理する通信事業者には、信号が送信され、移動端末装置が現に在圏していない在圏エリアを管理する通信事業者には、信号を送信してしまうのを防止できる。
【００１１】
また、上記目的を達成するために、本発明の一態様による通信システムは、移動端末装置の端末識別情報と、第１通信方式の第１在圏エリアを特定可能な第１在圏情報と、前記第１通信方式と異なる通信方式である第２通信方式の第２在圏エリアと前記第２在圏エリアを管理する通信事業者とを特定可能な第２在圏情報とが個別に格納される情報格納部を備え、互いに対応付けられて前記情報格納部に格納された前記端末識別情報と前記第１及び第２在圏情報とを加入者情報として管理する加入者情報管理装置と、前記第１在圏エリアと前記第２在圏エリアとを含み、ローミング先であるローミング網に在圏する移動端末装置との間でデータを送受信する中継装置とを備えたホーム網の通信システムであって、前記加入者情報管理装置は、上記一態様の加入者情報管理装置であり、前記中継装置は、上記一態様の中継装置であることを特徴とする。このような構成によれば、移動端末装置が現に在圏しているはずの在圏エリアの通信事業者とは異なる通信事業者に信号を送信してしまうのを防止できる。
【００１２】
また、上記目的を達成するために、本発明の一態様による加入者情報管理装置の通信用プログラムは、移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する、ホーム網の加入者情報管理装置の通信用プログラムであって、コンピュータを、移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含み、前記通信事業者から送信された位置登録信号を受信する位置登録信号受信部、前記情報格納部と、前記情報格納部に格納された第１及び第２在圏情報のいずれが最新の情報であるのかを判定可能な最新在圏情報が格納される最新在圏情報格納部とを備え、前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて前記最新在圏情報格納部に格納された最新在圏情報を更新し、更新された前記最新在圏情報を前記位置登録信号に含まれた前記端末識別情報に対応付けて記憶する情報記憶部、前記ホーム網の中継装置から要求された、移動端末装置の端末識別情報を含む在圏情報取得要求に基づいて、前記情報記憶部を参照し、前記在圏情報取得要求に含まれた前記端末識別情報と同一の端末識別情報に対応付けられた第１及び第２在圏情報並びに最新在圏情報を取得する在圏情報取得部、取得された前記第１及び第２在圏情報並びに前記最新在圏情報を前記ホーム網の中継装置に送信する在圏情報送信部として機能させることを特徴とする。このような構成によれば、移動端末装置が現に在圏しているはずの在圏エリアの通信事業者とは異なる通信事業者に信号を送信してしまうのを防止できる。
【００１３】
また、上記目的を達成するために、本発明の一態様による中継装置の通信用プログラムは、第１通信方式の第１在圏エリアと、前記第１通信方式と異なる通信方式である第２通信方式の第２在圏エリアとを含み、ローミング先であるローミング網に在圏する移動端末装置との間でデータを送受信する、ホーム網の中継装置の通信用プログラムであって、コンピュータを、前記第１又は第２在圏エリアに在圏している移動端末装置からの要求に基づいて所定の通信サービスを提供する通信サービス事業者から送信され、前記移動端末装置の端末識別情報を含む通信サービス要求を取得する通信サービス要求取得部、前記通信サービス要求を取得したことに基づいて、請求項１記載の加入者情報管理装置を参照し、前記通信サービス要求に含まれる前記端末識別情報と同一の端末識別情報に対応付けられた第１及び第２在圏情報並びに最新在圏情報を取得する在圏情報取得部、取得した前記第１及び第２在圏情報並びに最新在圏情報に基づいて、前記第１在圏情報が最新であるのか否かを判定する最新在圏情報判定部、及び、前記最新在圏情報判定部が前記第１在圏情報が最新であると判定した場合には、前記移動端末装置のローミング先の在圏エリアを提供する通信事業者に対してサービス要求信号を送信し、前記最新在圏情報判定部が前記第１在圏情報が最新でないと判定した場合には、前記通信サービス事業者に対して不応答判定結果情報を送信する判定結果情報送信部として機能させることを特徴とする。このような構成によれば、移動端末装置が現に在圏しているはずの在圏エリアの通信事業者とは異なる通信事業者に信号を送信してしまうのを防止できる。
【００１４】
さらに、上記目的を達成するために、本発明の一態様による通信システムの通信方法は、移動端末装置の端末識別情報と、第１通信方式の第１在圏エリアを特定可能な第１在圏情報と、前記第１通信方式と異なる通信方式である第２通信方式の第２在圏エリアを特定可能な第２在圏情報とが個別に格納される情報格納部を備え、互いに対応付けられて前記情報格納部に格納された前記端末識別情報と前記第１及び第２在圏情報とを加入者情報として管理する加入者情報管理装置と、前記第１在圏エリアと前記第２在圏エリアとを含みローミング先であるローミング網に在圏する移動端末装置との間でデータを送受信する中継装置とを備えたホーム網の通信システムの通信方法であって、前記加入者情報管理装置において、移動端末装置の端末識別情報と、前記移動端末装置のローミング先であるローミング網内で前記移動端末装置が在圏する前記第１又は第２在圏エリアの前記第１又は第２在圏情報と、前記移動端末装置が在圏する在圏エリアを管理する通信事業者を特定可能な事業者識別情報とを含む位置登録信号を受信し、前記位置登録信号に含まれた前記端末識別情報と前記第１又は第２在圏情報とを対応付けて前記情報格納部に格納して加入者情報を記憶するとともに、前記位置登録信号に含まれた前記第１又は第２在圏情報に基づいて、前記情報格納部に格納された第１及び第２在圏情報のいずれが最新の情報であるのかを判定可能な最新在圏情報が格納される最新在圏情報格納部を更新し、更新された最新在圏情報を前記位置登録信号に含まれた前記端末識別情報に対応付けて記憶し、前記第１又は第２在圏エリアに在圏している移動端末装置からの要求に基づいて所定の通信サービスを提供する通信サービス事業者から送信され、前記移動端末装置の端末識別情報を含む通信サービス要求を取得し、前記通信サービス要求を取得したことに基づいて、前記在圏情報取得要求に含まれた前記端末識別情報と同一の端末識別情報に対応付けられた第１及び第２在圏情報並びに最新在圏情報を取得し、取得した前記第１及び第２在圏情報並びに前記最新在圏情報を前記中継装置に送信し、前記中継装置において、前記加入者情報管理装置から送信された前記第１及び第２在圏情報並びに前記最新在圏情報を取得し、取得した前記第１及び第２在圏情報並びに前記最新在圏情報に基づいて、前記第１在圏情報が最新であるのか否かを判定し、前記第１在圏情報が最新であると判定された場合には、前記移動端末装置のローミング先の在圏エリアを提供する通信事業者に対してサービス要求信号を送信し、前記第１在圏情報が最新でないと判定された場合には、前記通信サービス事業者に対して不応答判定結果情報を送信することを特徴とする。このような構成によれば、移動端末装置が現に在圏しているはずの在圏エリアの通信事業者とは異なる通信事業者に信号を送信してしまうのを防止できる。
【発明の効果】
【００１５】
本発明によれば、移動端末装置が現に在圏しているはずの在圏エリアの通信事業者とは異なる通信事業者にサービス要求信号を送信してしまうのを防止できる。
【図面の簡単な説明】
【００１６】
【図１】本発明の一実施の形態による通信システム１の概略構成を示す図である。
【図２】本発明の一実施の形態による加入者情報管理装置（ＨＳＳ１１）及び中継装置（ＧＭＬＣ５）の概略構成を示すブロック図である。
【図３】本発明の一実施の形態による加入者情報管理装置（ＨＳＳ１１）に設けられた情報記憶部１１ｂに記憶された加入者情報データベースの一例を示す図である。
【図４】本発明の一実施の形態による中継装置（ＧＭＬＣ５）に設けられた情報記憶部に記憶された通信事業者情報データベースの一例を示す図である。
【図５】従来の通信システムの問題点を説明する図（その１）である。
【図６】従来の通信システムの問題点を説明する図（その２）である。
【図７】従来の通信システムの問題点を説明する図（その３）である。
【図８】本発明の一実施の形態による通信システム１の通信方法を説明するためのシーケンス図である。
【図９】本発明の一実施の形態の変形例による通信システム１の通信方法を説明するためのシーケンス図である。
【発明を実施するための形態】
【００１７】
（通信システム１の概略構成）
本発明の一実施の形態による加入者情報管理装置、中継装置、それらを備えた通信システム、加入者情報管理装置及び中継装置の通信用プログラム、通信システムの通信方法について、図１から図９を用いて説明する。まず、本実施の形態による通信システム１の概略構成について図１を用いて説明する。
【００１８】
図１は、本実施の形態による通信システム１の概略構成を示している。図１に示すように、本実施の形態による通信システム１は、ＧＭＬＣ（Ｇａｔｅｗａｙ  Ｍｏｂｉｌｅ  Ｌｏｃａｔｉｏｎ  Ｃｅｎｔｅｒ）５と、ＧＭＬＣ５に接続された加入者管理サーバ（Ｈｏｍｅ  Ｓｕｂｓｃｒｉｂｅｒ  Ｓｅｒｖｅｒ：ＨＳＳ）１１と、ＧＭＬＣ５に接続されたｘＧＳＮ（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）１３と、ｘＧＳＮ１３に接続された無線ネットワーク制御装置（Ｒａｄｉｏ  Ｎｅｔｗｏｒｋ  Ｃｏｎｔｒｏｌｌｅｒ：ＲＮＣ）１５と、ＲＮＣ１５に接続された無線基地局（Ｂａｓｅ  Ｔｒａｎｓｃｅｉｖｅｒ  Ｓｔａｔｉｏｎ：ＢＴＳ）１７と、ＧＭＬＣ５に接続されたＭＭＥ（Ｍｏｂｉｌｉｔｙ  Ｍａｎａｇｅｍｅｎｔ  Ｅｎｔｉｔｙ）１９と、ＭＭＥ１９に接続された無線基地局（ｅＮｏｄｅＢ）２１と、ＨＳＳ１１に登録された移動端末装置（不図示）とを有している。本実施の形態では、ＧＭＬＣ５、ＨＳＳ１１、ｘＧＳＮ１３、ＲＮＣ１５、ＢＴＳ１７、ＭＭＥ１９及びｅＮｏｄｅＢ２１を少なくとも含んでホーム網ネットワーク（以下、ネットワークを「ＮＷ」と略記する場合がある）２が構成されている。また、ホーム網ＮＷ２は、ＬＣＳ（ＬｏＣａｔｉｏｎ  Ｓｅｒｖｉｃｅ）−Ｃｌｉｅｎｔ３０を有している。ＬＣＳ−Ｃｌｉｅｎｔ３０は、移動端末装置の位置情報を取得して位置情報検索者とのユーザインタフェースを提供するコンテンツプロバイダである。ＬＣＳ−Ｃｌｉｅｎｔ３０は、所定の通信サービスを提供する通信サービス事業者に相当する。
【００１９】
ＢＴＳ１７は、特定の範囲に対してセル識別子（例えば、セルＩＤ）を送出することにより３Ｇ（第３世代移動通信システム）在圏エリアＥ１を形成するようになっている。移動端末装置が３Ｇ在圏エリアＥ１内にある場合には、ＢＴＳ１７は、移動端末装置との間で３Ｇ方式に従った無線通信を行うことができる。移動端末装置は、ＢＴＳ１７を介してＢＴＳ１７の上流（上位）に位置しているＲＮＣ１５、ｘＧＳＮ１３及びＧＭＬＣ５と通信するようになっている。セル識別子は基地局毎にそれぞれ付与されている。このため、セル識別子を判定することにより、在圏エリアがどの基地局に収容されているのかを区別することができる。また、セル識別子により在圏エリア自体を識別することができる。
【００２０】
ＲＮＣ１５は、ＢＴＳ１７に対応して設けられており、ＢＴＳ１７が形成する３Ｇ在圏エリアＥ１に在圏している移動端末装置の無線通信に関する処理を行う。具体的には、ＲＮＣ１５は、移動端末装置の回線接続処理や通話時のハンドオーバー処理等を行う。また、ＲＮＣ１５は、自己に対応付けられたＢＴＳ（本例では、ＢＴＳ１７）のセル識別子と、当該ＢＴＳが収容する在圏エリアに在圏している移動端末装置の端末識別子（例えば、携帯電話ＮＷへの加入を一意に識別する番号（ＭＳＩＳＤＮ））とを対応付けて記憶している。本実施の形態では、端末識別子が端末識別情報に相当する。図１では、ＲＮＣ１５に接続されたＢＴＳや移動端末装置はそれぞれ１つであるが、ＲＮＣ１５は、複数のＢＴＳを介して複数の移動端末装置を制御することができる。なお、ＲＮＣは、基地局制御装置、無線制御局、等とも呼ばれる場合がある。
【００２１】
ｘＧＳＮ１３は、コアネットワーク装置の１つであり、不図示のＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）と不図示のＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）の統合ノードであり、パケット交換処理を実行する。具体的には、ｘＧＳＮ１３は例えば、移動端末装置２３がウェッブサイトの閲覧や電子メールの送受信等のデータ通信を行うと、移動端末装置２３から送信されるＩＰ（Ｉｎｔｅｒｎｅｔ  Ｐｒｏｔｏｃｏｌ）パケットに対して、ＩＰパケットを別のＩＰパケットで包む、いわゆるカプセリング等の処理を実行する。ＳＧＳＮは、パケット交換ドメインにおいてパケット交換を行う装置である。ＧＧＳＮは、中継パケット交換機とも呼ばれ、パケット通信時のユーザの認証、接続の制御、ＱｏＳ（Ｑｕａｌｉｔｙ  ｏｆ  Ｓｅｒｖｉｃｅ）などの役割を担う。
【００２２】
ｅＮｏｄｅＢ２１は、特定の範囲に対してセル識別子（例えば、セルＩＤ）を送出することによりＬＴＥ（Ｌｏｎｇ  Ｔｅｒｍ  Ｅｖｏｌｕｔｉｏｎ）在圏エリアＥ２を形成するようになっている。移動端末装置がＬＴＥ在圏エリアＥ２内にある場合には、ｅＮｏｄｅＢ２１は、当該移動端末装置との間でＬＴＥ方式に従った無線通信を行うことができる。移動端末装置は、ｅＮｏｄｅＢ２１を介してｅＮｏｄｅＢ２１の上流（上位）に位置しているＭＭＥ１９及びＧＭＬＣ５と通信するようになっている。また、ｅＮｏｄｅＢ２１は、無線アクセス制御機能を有しており、ＲＮＣに接続される必要がない。このため、ｅＮｏｄｅＢ２１は、ＢＴＳ１７と異なり、ＬＴＥ方式のコアネットワーク装置の一構成であるＭＭＥ１９に直接接続できる。
【００２３】
ＭＭＥ１９は、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、Ｐ−ＧＷ（Ｐａｃｋｅｔ  Ｄａｔａ  Ｎｅｔｗｏｒｋ−Ｇａｔｅｗａｙ）及びＳ−ＧＷ（Ｓｅｒｖｉｎｇ−Ｇａｔｅｗａｙ）（いずれも不図示）とともに、コアネットワーク装置を構成している。ＭＭＥ１９は、移動端末装置の移動管理、ＨＳＳ１１から通知される認証情報に基づく移動端末装置の認証（セキュリティ制御）及びＳ−ＧＷとｅＮｏｄｅＢ２１との間におけるユーザデータの転送経路の設定処理などを行うようになっている。
【００２４】
ＨＳＳ１１は、移動端末装置の端末識別子と対応付けられた加入者情報を記憶しており、認証情報及び在圏情報の管理を行う。ＨＳＳ１１は、移動端末装置の端末識別情報と、３Ｇ方式（第１通信方式の一例）の３Ｇ在圏エリアＥ１（第１在圏エリアの一例）を特定可能な３Ｇ在圏情報（第１在圏情報の一例）と、３Ｇ方式とは異なる通信方式であるＬＴＥ方式（第２通信方式の一例）のＬＴＥ在圏エリアＥ２を特定可能なＬＴＥ在圏情報（第２在圏情報の一例）とが個別に格納される情報格納部（詳細は後述）を備え、互いに対応付けられて当該情報格納部に格納された端末識別情報と３Ｇ在圏情報及びＬＴＥ在圏情報とを加入者情報として管理するようになっている。また、ＨＳＳ１１は、ＧＭＬＣ５からの在圏情報取得要求に対する応答として、指定された端末識別情報に対応付けられた、３Ｇ在圏情報、ＬＴＥ在圏情報及び最新在圏情報をＧＭＬＣ５に送出するようになっている。なお、ＨＳＳ１１の具体的な概略構成や最新在圏情報の詳細については後述する。
【００２５】
ＧＭＬＣ５は、移動端末装置との間でデータを送受信するＢＴＳ１７やｅＮｏｄｅＢ２１の緯度経度情報などの位置情報を管理している。ＧＭＬＣ５は、測位要求を実行した移動端末装置と、当該測位要求に含まれた端末識別情報に対応する移動端末装置とが一致するか否かの判定機能を奏するサーバ装置である。ＧＭＬＣ５は、３Ｇ方式の３Ｇ在圏エリアＥ１０１と、３Ｇ方式とは異なる通信方式であるＬＴＥ通信方式のＬＴＥ在圏エリアＥ１０２とを含み、ローミング先であるローミング網ＮＷ１０２に在圏する移動端末装置２３との間でデータを送受信する、ホーム網ＮＷ２の中継装置に相当する。なお、ＧＭＬＣ５の具体的な構成については後述する。
【００２６】
ホーム網ＮＷ２は例えば、ローミングトラフィックを制御するＧＲＸ（ＧＰＲＳ  Ｒｏａｍｉｎｇ  Ｅｘｃｈａｎｇｅ）網４０のようなネットワークを経由して他の通信事業者のローミング網ＮＷ１０２と接続されている。ローミング網ＮＷ１０２は、移動端末装置２３のローミング先ネットワークである。移動端末装置２３は、通信システム１を構成するＨＳＳ１１に端末識別情報がユーザ登録されたユーザ端末装置である。ローミング網ＮＷを構成する当該端他の通信事業者の通信システム１００は、ＧＭＬＣ１０５と、ＧＭＬＣ１０５に接続されたｘＧＳＮ１１３と、ｘＧＳＮ１１３に接続されたＲＮＣ１１５と、ＲＮＣ１１５に接続されたＢＴＳ１１７と、ＧＭＬＣ１０５に接続されたＭＭＥ１１９と、ＭＭＥ１１９に接続されたｅＮｏｄｅＢ１２１とを有している。ｘＧＳＮ１１３はｘＧＳＮ１３と、ＲＮＣ１１５はＲＮＣ１５と、ＢＴＳ１１７はＢＴＳ１７と、ＭＭＥ１１９はＭＭＥ１９と、ｅＮｏｄｅＢ１２１はｅＮｏｄｅＢ２１と、それぞれ同一の構成を有し、同一の機能を発揮するので、詳細な説明は省略する。ＧＭＬＣ１０５は、後述の最新在圏情報判定部及び判定結果情報送信部を有していない点を除いて、ＧＭＬＣ５と同一の構成を有し、同一の機能を発揮するので、詳細な説明は省略する。
【００２７】
ＢＴＳ１１７は、３Ｇ在圏エリアＥ１０１を形成するようになっている。ｅＮｏｄｅＢは、ＬＴＥ在圏エリアＥ１０２を形成するようになっている。図１では、ＨＳＳ１１にユーザ登録された移動端末装置２３が３Ｇ在圏エリアＥ１０１内に在圏している状態が示されている。移動端末装置２３は、３Ｇ在圏エリアＥ１０１内に在圏している間は、ＢＴＳ１１７、ＲＮＣ１１５、ｘＧＳＮ１１３、ＧＭＬＣ１０５及びＧＲＸ網４０を介して通信システム１との間で３Ｇ方式に従って通信するようになっている。また、移動端末装置２３は、ＬＴＥ在圏エリアＥ１０２に在圏している間は、ｅＮｏｄｅＢ１２１、ＭＭＥ１１９、ＧＭＬＣ１０５及びＧＲＸ網４０を介して通信システム１との間でＬＴＥ方式に従って通信するようになっている。
【００２８】
（ＨＳＳ１１及びＧＭＬＣ５の概略構成）
次に、ＨＳＳ１１及びＧＭＬＣ５の具体的な構成について図２から図４を用いて説明する。図２は、ＨＳＳ１１及びＧＭＬＣ５の概略構成を示すブロック図である。図２では理解を容易にするため、ホーム網ＮＷに設けられたＬＣＳ−Ｃｌｉｅｎｔ３０が併せて示されている。
【００２９】
図２に示すように、ＨＳＳ１１は、位置登録信号受信部１１ａと、情報記憶部１１ｂと、在圏情報取得部１１ｃと、在圏情報送信部１１ｄとを有している。位置登録信号受信部１１ａ、情報記憶部１１ｂ、在圏情報取得部１１ｃ及び在圏情報送信部１１ｄは、物理的に別の装置としてそれぞれ実現されていてもよいし、ＨＳＳ１１の一機能としてそれぞれ実現されていてもよい。
【００３０】
位置登録信号受信部１１ａは、移動端末装置２３のローミング先であるローミング網ＮＷ１０２内の３Ｇ在圏エリアＥ１０１及びＬＴＥ在圏エリアＥ１０２を管理する通信事業者から送信される位置登録信号を受信するようになっている。当該位置登録信号は、移動端末装置２３が移動して位置登録した、ローミング先のローミング網ＮＷ１０２を構成する通信システム１００から送信される。当該位置登録信号は、通信システム１００の通信事業者が管理する在圏エリアを収容するｘＧＳＮ１１３又はＭＭＥ１１９から送信される。当該位置登録信号は、ローミング網ＮＷ１０２内の３Ｇ在圏エリアＥ１０１又はＬＴＥ在圏エリアＥ１０２の３Ｇ在圏情報又はＬＴＥ在圏情報と、ローミング網ＮＷ１０２内の３Ｇ在圏エリアＥ１０１又はＬＴＥ在圏エリアＥ１０２に在圏する移動端末装置２３の端末識別情報と、３Ｇ在圏エリアＥ１０１又はＬＴＥ在圏エリアＥ１０２を管理する通信事業者の事業者識別情報とを含んでいる。当該位置登録信号に含まれる３Ｇ在圏情報又はＬＴＥ在圏情報及び端末識別情報は、ローミング先のｘＧＳＮ１１３又はＭＭＥ１１９に登録された情報である。図１に示す例では、移動端末装置２３は３Ｇ在圏エリアＥ１０１にローミングしてｘＧＳＮ１１３に位置登録している。このため、当該位置登録信号はｘＧＳＮ１１３から送信され、３Ｇ在圏エリアＥ１０１に関する３Ｇ在圏情報と、Ｇ在圏エリアＥ１０１を管理する通信事業者の事業者識別情報と、移動端末装置２３の端末識別情報とが含まれる。
【００３１】
情報記憶部１１ｂは、端末識別情報、３Ｇ在圏情報及びＬＴＥ在圏情報が個別に格納される情報格納部（図２では不図示）と、当該情報格納部に格納された３Ｇ在圏情報及びＬＴＥ在圏情報のいずれが最新の情報であるのかを判定可能な最新在圏情報が格納される最新在圏情報格納部（図２では不図示）とを有している。判定可能な最新在圏情報には、例えば最新在圏情報のみで３Ｇ及びＬＴＥ在圏情報のいずれが最新であるのかを判定できる情報や、他の情報と組み合わせて３Ｇ及びＬＴＥ在圏情報のいずれが最新であるのかを判定できる情報が含まれる。前者の最新在圏情報を格納する最新在圏情報格納部は、例えば位置登録信号に３Ｇ在圏情報が含まれていた場合には３Ｇ在圏情報に対応付けた３Ｇ用フラグをオン状態、かつＬＴＥ在圏情報に対応付けたＬＴＥ用フラグをオフ状態とし、位置登録信号にＬＴＥ在圏情報が含まれていた場合には３Ｇ用フラグをオフ状態、かつＬＴＥ用フラグをオン状態として最新在圏情報を格納できるようになっていてもよい。また、後者の最新在圏情報を格納する最新在圏情報格納部は、位置登録信号に含まれた３Ｇ在圏情報及びＬＴＥ在圏情報を区別せずに、これらの在圏情報の全て又は一部を最新在圏情報として格納できるようになっていてもよい。この場合、情報格納部に格納された３Ｇ在圏情報及びＬＴＥ在圏情報のうち、最新在圏情報格納部に格納された最新在圏情報と同一である方の在圏情報が最新であると判断できる。あるいは、ＧＭＬＣ５に格納された通信事業者情報を参照して情報格納部に格納された３Ｇ在圏情報及びＬＴＥ在圏情報に基づく通信事業者をそれぞれ導出し、導出された２つの通信事業者のうち、最新在圏情報に含まれる通信事業者と同一の通信事業者が導出された方の在圏情報が最新であると判断できる。
【００３２】
情報記憶部１１ｂは、位置登録信号受信部１１ａで受信した位置登録信号に含まれた端末識別情報と３Ｇ在圏情報又はＬＴＥ在圏情報とを対応付けて情報格納部に格納して加入者情報を記憶するようになっている。さらに、情報記憶部１１ｂは、当該位置登録信号に含まれた事業者識別情報に基づいて当該最新在圏情報格納部に格納された最新在圏情報を更新し、更新された最新在圏情報を当該位置登録信号に含まれた端末識別情報に対応付けて記憶するようになっている。ここで、情報記憶部１１ｂに備えられた情報格納部及び最新在圏情報格納部について図３を用いて説明する。図３は、情報記憶部１１ｂに記憶された加入者情報データベース（以下、データベースを「ＤＢ」と略記する）の一例を示している。
【００３３】
図３に示すように、加入者情報ＤＢは、「端末識別情報」、「在圏情報」、「最新在圏情報」、「パケットローミング中フラグ」及びその他の情報（図３では、当該その他の情報を「・・・」と表記している）の格納領域を有している。「在圏情報」の格納領域は、「３Ｇ」及び「ＬＴＥ」の格納領域に細分化されている。「端末識別情報」は、ＨＳＳ１１にユーザ登録された移動端末装置の端末識別情報が格納される格納領域である。「在圏情報」の「３Ｇ」は、位置登録信号に含まれた３Ｇ在圏情報が格納される格納領域であり、「在圏情報」の「ＬＴＥ」は、位置登録信号に含まれたＬＴＥ在圏情報が格納される格納領域である。「在圏情報」の「３Ｇ」の格納領域に格納された情報が３Ｇ在圏情報であり、「在圏情報」の「ＬＴＥ」の格納領域に格納された情報がＬＴＥ在圏情報である。「端末識別情報」及び「在圏情報」の格納領域が情報格納部１１ｂ−１に相当する。情報格納部１１ｂ−１は、「端末識別情報」の格納領域と、「在圏情報」の「３Ｇ」及び「ＬＴＥ」の２つの格納領域とを有しているので、端末識別情報と３Ｇ在圏情報とＬＴＥ在圏情報とを個別に格納できる。「最新在圏情報」は、最新在圏情報が格納される格納領域である。本実施の形態では、位置登録信号に含まれた事業者識別情報が「最新在圏情報」の格納領域に格納されるようになっている。「最新在圏情報」の格納領域が最新在圏情報格納部１１ｂ−２に相当する。「パケットローミング中フラグ」は、移動端末装置がパケットローミング中であるか否かを示す情報が格納される格納領域である。
【００３４】
加入者情報ＤＢの各行毎に、格納された情報が互いに対応付けられた情報となる。例えば、加入者情報ＤＢの第１行目（項目行を除く。以下同様に、加入者情報ＤＢの項目行を除いた行数とする。）において、「端末識別情報」に格納された、移動端末装置の端末識別情報である「α」には、「在圏情報」の「３Ｇ」に格納された３Ｇ在圏情報である「ＣＣ＋ＮＤＣ＋ａａａ」と、「在圏情報」の「ＬＴＥ」に格納されたＬＴＥ在圏情報である「ＭＣＣ＋ＭＮＣ＋ｂｂｂ」と、「最新在圏情報」に格納された最新在圏情報である「Ａ」と、「パケットローミング中フラグ」に格納されたフラグがオン状態であることを示す「ＯＮ」とが対応付けられる。「端末識別情報」に格納された「α」、「β」及び「γ」は、加入者登録された移動端末装置の端末識別情報を示している。「最新在圏情報」に格納された「Ａ」、「Ｂ」「Ｃ」及び「Ｄ」は通信事業者の事業者識別情報（例えば、事業者識別子）を示している。「在圏情報」の「３Ｇ」に格納された「ＣＣ＋ＮＤＣ」は事業者情報である。「ＣＣ＋ＮＤＣ」のうち、「ＣＣ」は国コード（Ｃｏｕｎｔｒｙ  Ｃｏｄｅ  ｆｏｒ  ｇｅｏｇｒａｐｈｉｃ  ａｒｅａｓ）を示し、「ＮＤＣ」は国内宛先コード（Ｎａｔｉｏｎａｌ  Ｄｅｓｔｉｎａｔｉｏｎ  Ｃｏｄｅ）を示している。「在圏情報」の「ＬＴＥ」に格納された「ＭＣＣ＋ＭＮＣ」は事業者情報である。「ＭＣＣ＋ＭＮＣ」のうち、「ＭＣＣ」は電気通信事業者の運用地域コード（Ｍｏｂｉｌｅ  Ｃｏｕｎｔｒｙ  Ｃｏｄｅ）を示し、「ＭＮＣ」は、電気通信事業者を識別するための識別コード（Ｍｏｂｉｌｅ  Ｎｅｔｗｏｒｋ  Ｃｏｄｅ）を示している。「在圏情報」に格納された「ａａａ」、「ｂｂｂ」、「ｃｃｃ」及び「ｄｄｄ」はそれぞれ、事業者識別情報が「Ａ」、「Ｂ」、「Ｃ」及び「Ｄ」の通信事業者に管理され、位置登録された移動端末装置が在圏する在圏エリアを収容する交換機（本例では、ｘＧＳＮ又はＭＭＥ）の交換機識別情報（例えば、交換機番号）を示している。本実施の形態では、３Ｇ在圏情報は、交換機識別情報と、事業者情報（国コード及び国内宛先コード）とを含み、ＬＴＥ在圏情報は、交換機識別情報と、事業者情報（電気通信事業者の運用地域コード及び識別コード）とを含んでいる。以下、３Ｇ在圏情報に含まれる事業者情報と、後述する通信事業者情報ＤＢの「事業者情報」の「３Ｇ」に格納された事業者情報とを「３Ｇ事業者情報」と称する場合がある。また、以下、ＬＴＥ在圏情報に含まれる事業者情報と、当該通信事業者情報ＤＢの「事業者情報」の「ＬＴＥ」に格納された事業者情報とを「ＬＴＥ事業者情報」と称する場合がある。「パケットローミング中フラグ」の「ＯＮ」は当該フラグがオン状態であって移動端末装置がローミング中であることを示し、「ＯＦＦ」は当該フラグがオフ状態であって移動端末装置がローミング中でないことを示している。
【００３５】
図３に示す加入者情報ＤＢの最新在圏情報格納部１１ｂ−２には、通信事業者の事業者識別情報が格納されている。加入者情報ＤＢの第１行目では、最新在圏情報格納部１１ｂ−２に格納された最新在圏情報は「Ａ」であり、パケットローミング中フラグがオン状態である。このため、端末識別情報「α」の移動端末装置は、現時点において事業者識別情報が「Ａ」の通信事業者の管理する在圏エリアに在圏し、パケットローミング中であると判定される。また、加入者情報ＤＢの第２行目では、最新在圏情報格納部１１ｂ−２に格納された最新在圏情報は「Ｃ」であり、パケットローミング中フラグがオン状態である。このため、端末識別情報「β」の移動端末装置は、現時点において事業者識別情報が「Ｃ」の通信事業者の管理する在圏エリアに在圏し、パケットローミング中であると判定される。また、加入者情報ＤＢの第３行目では、最新在圏情報格納部１１ｂ−２に格納された最新在圏情報は「Ｄ」であり、パケットローミング中フラグがオフ状態である。このため、端末識別情報「γ」の移動端末装置は、現時点において事業者識別情報が「Ｄ」の通信事業者の管理する在圏エリアに在圏し、パケットローミング中でないと判定される。すなわち、端末識別情報「γ」の移動端末装置は、現時点において、ホーム網内の在圏エリアに在圏していると判定される。
【００３６】
本実施の形態では、最新在圏情報格納部１１ｂ−２に格納された情報自体では、移動端末装置が現に在圏している在圏エリアを管理している通信事業者が特定されるだけで、情報格納部１１ｂ−１に格納された３Ｇ在圏情報及びＬＴＥ在圏情報のいずれが最新であるのかは特定されない。本実施の形態による通信システム１は、最新在圏情報格納部１１ｂ−２に格納された情報と、他の情報（本実施の形態では、後述する通信事業者情報ＤＢに格納された事業者識別情報）と組み合わせ、情報格納部１１ｂ−１に格納された３Ｇ在圏情報及びＬＴＥ在圏情報のいずれが最新であるのか判定するようになっている。
【００３７】
図２に戻って、ＨＳＳ１１に備えられた在圏情報取得部１１ｃは、ホーム網ＮＷ２のＧＭＬＣ５（中継装置の一例）から要求された、移動端末装置２３の端末識別情報を含む在圏情報取得要求に基づいて、情報記憶部１１ｂを参照し、在圏情報取得要求に含まれた端末識別情報と同一の端末識別情報に対応付けられた３Ｇ在圏情報及びＬＴＥ在圏情報並びに最新在圏情報を取得するようになっている。例えば、端末識別情報として「α」が在圏情報取得要求に含まれている場合には、在圏情報取得部１１ｃは、情報記憶部１１ｂの加入者情報ＤＢを参照し、「端末識別情報」に格納された「α」に対応付けられた在圏情報を取得する。例えば情報記憶部１１ｂの加入者情報ＤＢが図３に示すように情報を格納している場合には、在圏情報取得部１１ｃは、端末識別情報「α」に対応付けられた、３Ｇ在圏情報の「ＣＣ＋ＮＤＣ＋ａａａ」と、ＬＴＥ在圏情報の「ＭＣＣ＋ＭＮＣ＋ｂｂｂ」及び最新在圏情報「Ａ」を取得する。在圏情報取得部１１ｃは、取得したこれらの在圏情報を在圏情報送信部１１ｄに送信するようになっている。
【００３８】
在圏情報送信部１１ｄは、在圏情報取得部１１ｃが取得した３Ｇ在圏情報及びＬＴＥ在圏情報並びに最新在圏情報をホーム網ＮＷ２のＧＭＬＣ５に送信するようになっている。
ＧＭＬＣ５は、通信サービス要求取得部５ａと、在圏情報取得部５ｂと、最新在圏情報判定部５ｃと、判定結果情報送信部５ｄとを有している。通信サービス要求取得部５ａ、在圏情報取得部５ｂ、最新在圏情報判定部５ｃ及び判定結果情報送信部５ｄは、物理的に別の装置としてそれぞれ実現されていてもよいし、ＧＭＬＣ５の一機能としてそれぞれ実現されていてもよい。
【００３９】
通信サービス要求取得部５ａは、３Ｇ在圏エリアＥ１０１又はＬＴＥ在圏エリアＥ１０２に在圏している移動端末装置２３からの要求に基づいて所定の通信サービスを提供する通信サービス事業者（例えばＬＣＳ−Ｃｌｉｅｎｔ３０）から送信され、移動端末装置２３の端末識別情報を含む通信サービス要求を取得するようになっている。所定の通信サービスには、例えば基地局測位要求や通信事業者独自の通信サービスなどが含まれる。通信事業者独自の通信サービスには、例えば移動端末装置の表示部の表示態様をローミング先の国に対応させるサービスなどが含まれる。
【００４０】
在圏情報取得部５ｂは、通信サービス要求取得部５ａが通信サービス要求を取得したことに基づいて、加入者情報管理装置（例えばＨＳＳ１１）を参照し、通信サービス要求に含まれる端末識別情報と同一の端末識別情報に対応付けられた３Ｇ在圏情報及びＬＴＥ在圏情報並びに最新在圏情報を取得するようになっている。具体的には、在圏情報取得部５ｂは、例えば通信サービス要求に含まれる端末識別情報を含む在圏情報取得要求をＨＳＳ１１に対して要求し、当該在圏情報取得要求の応答として３Ｇ在圏情報及びＬＴＥ在圏情報並びに最新在圏情報を取得する。例えば、端末識別情報として「α」が通信サービス要求に含まれている場合には、在圏情報取得部５ｂは、端末識別情報として「α」を含む在圏情報取得要求をＨＳＳ１１に対して要求する。例えば情報記憶部１１ｂの加入者情報ＤＢが図３に示すように情報を格納している場合には、ＨＳＳ１１の在圏情報取得部１１ｃは、情報記憶部１１ｂの加入者情報ＤＢを参照し、端末識別情報「α」に対応付けられた、３Ｇ在圏情報の「ＣＣ＋ＮＤＣ＋ａａａ」と、ＬＴＥ在圏情報の「ＭＣＣ＋ＭＮＣ＋ｂｂｂ」及び最新在圏情報の「Ａ」を取得し、これらの情報を含む応答信号を在圏情報取得応答としてＧＭＬＣ５に送信する。これにより、ＧＭＬＣ５に設けられた在圏情報取得部５ｂは端末識別情報「α」に対応付けられた３Ｇ在圏情報の「ＣＣ＋ＮＤＣ＋ａａａ」と、ＬＴＥ在圏情報の「ＭＣＣ＋ＭＮＣ＋ｂｂｂ」及び最新在圏情報の「Ａ」を取得する。在圏情報取得部５ｂは、取得したこれらの在圏情報を最新在圏情報判定部５ｃに送信するようになっている。
【００４１】
最新在圏情報判定部５ｃは、取得した３Ｇ在圏情報及びＬＴＥ在圏情報並びに最新在圏情報に基づいて、３Ｇ在圏情報が最新であるのか否かを判定するようになっている。本実施の形態では、取得した最新在圏情報には通信事業者の事業者識別情報が含まれているだけなので、最新在圏情報判定部５ｃは、当該最新在圏情報のみでは３Ｇ在圏情報が最新であるのか否かを判定できない。このため、最新在圏情報判定部５ｃは、ＧＭＬＣ５が管理する通信事業者情報ＤＢを参照し、取得した３Ｇ在圏情報に含まれる３Ｇ事業者情報に対応する事業者識別情報と最新在圏情報としての事業者識別情報とが同一か否かを判定するようになっている。また、最新在圏情報判定部５ｃは、３Ｇ在圏情報が最新の在圏情報でないと判定した場合には、ＬＴＥ在圏情報が最新であるか否かを判定するようになっている。
【００４２】
図４は、ＧＭＬＣ５に設けられた情報記憶部に記憶された通信事業者情報ＤＢの一例を示している。図４に示すように、通信事業者情報ＤＢは、「事業者識別情報」及び「事業者情報」の格納領域を有している。「事業者情報」の格納領域は、「３Ｇ」及び「ＬＴＥ」の２つの格納領域に細分化されている。「事業者識別情報」は、ＧＭＬＣ５に登録された通信事業者の事業者識別情報が格納される格納領域である。当該事業者識別情報は、ＧＭＬＣ５に予め登録されていたり、移動端末装置の位置登録処理の際に登録されたりする。「事業者情報」の「３Ｇ」は、通信事業者が管理する３Ｇ在圏エリアに関する３Ｇ事業者情報が格納される格納領域であり、「事業者情報」の「ＬＴＥ」は、通信事業者が管理するＬＴＥ在圏エリアに関するＬＴＥ事業者情報が格納される格納領域である。通信事業者情報ＤＢの各行毎に格納された情報が互いに対応付けられた情報となる。例えば、通信事業者情報ＤＢの第１行目（項目行を除く。以下同様に、通信事業者情報ＤＢの項目行を除いた行数とする。）において、「事業者識別情報」に格納された、通信事業者の事業者識別情報である「Ａ」には、「事業者情報」の「３Ｇ」に格納された３Ｇ事業者情報である「ＣＣ＋ＮＤＣ」と、「事業者情報」の「ＬＴＥ」に格納されたＬＴＥ事業者情報である「ＭＣＣ＋ＭＮＣ」とが対応付けられる。なお、図４において、事業者識別情報を示す「Ａ」、３Ｇ在圏情報を示す「ＣＣ＋ＮＤＣ」、ＬＴＥ在圏情報を示す「ＭＣＣ＋ＭＮＣ」の表記方法は、図３における表記方法と同様である。
【００４３】
最新在圏情報判定部５ｃは、在圏情報取得部５ｂが取得した３Ｇ在圏情報に含まれる事業者情報と同一の３Ｇ事業者情報に対応付けられて通信事業者情報ＤＢに格納された事業者識別情報と、在圏情報取得部５ｂが取得した最新在圏情報に含まれる事業者識別情報とが同一であるか否かを判定するようになっている。また、最新在圏情報判定部５ｃは、在圏情報取得部５ｂが取得したＬＴＥ在圏情報に含まれる事業者情報と同一のＬＴＥ事業者情報に対応付けられて通信事業者情報ＤＢに格納された事業者識別情報と、在圏情報取得部５ｂが取得した最新在圏情報に含まれる事業者識別情報とが同一であるか否かを判定するようになっている。
【００４４】
例えば、最新在圏情報判定部５ｃは、在圏情報取得部５ｂが取得した３Ｇ在圏情報の「ＣＣ＋ＮＤＣ＋ａａａ」に含まれる「ＣＣ＋ＮＤＣ」と同一の「ＣＣ＋ＮＤＣ」に対応付けられて通信事業者情報ＤＢに格納された事業者識別情報の「Ａ」と、在圏情報取得部５ｂが取得した最新在圏情報に含まれた事業者識別情報の「Ａ」とが同一であるか否かを判定する。本例では、最新在圏情報判定部５ｃは、これらの２つの事業者識別情報がいずれも「Ａ」であって同一であると判定し、ＬＴＥ在圏情報についての判定は実行しない。最新在圏情報判定部５ｃは、通信事業者情報ＤＢを参照して得られた事業者識別情報と最新在圏情報に含まれた事業者識別情報とが同一でないと判定した場合には、在圏情報取得部５ｂが取得したＬＴＥ在圏情報について３Ｇ在圏情報と同様の処理を実行して、事業者識別情報の比較判定を実行するようになっている。
【００４５】
最新在圏情報判定部５ｃは、情報格納部１１ｂ−１に３Ｇ在圏情報やＬＴＥ在圏情報とともに事業者識別情報を格納しておき、最新在圏情報としての事業者識別情報と、最新在圏情報格納部１１ｂ−１に格納された事業者識別情報とが同一か否かを判定し、最新在圏情報としての事業者識別情報と加入者情報ＤＢに格納されたＬＴＥ在圏情報に含まれる事業者識別情報とが同一か否かを判定するようになっていてもよい。
【００４６】
例えば、在圏情報取得部５ｂが、端末識別情報の「α」に対応付けられた、情報格納部１１ｂ−１の「在圏情報」の「３Ｇ」に格納された「ＣＣ＋ＮＤＣ＋ａａａ」及び事業者識別情報の「Ａ」と、「在圏情報」の「ＬＴＥ」に格納された「ＭＣＣ＋ＭＮＣ＋ｂｂｂ」及び事業者識別情報の「Ｂ」と、最新在圏情報の「Ａ」とを取得しているとする。最新在圏情報判定部５ｃは、３Ｇ在圏情報とともに格納された事業者識別情報が「Ａ」であり、最新在圏情報としての事業者識別情報が「Ａ」であって両事業者識別情報が同一であるため、３Ｇ在圏情報が最新であると判定する。最新在圏情報判定部５ｃは、３Ｇ在圏情報が最新であるという判定結果情報を判定結果情報送信部５ｄに送信する。
なお、最新在圏情報のみで３Ｇ在圏情報及びＬＴＥ在圏情報のいずれが最新であるのかを判定できる情報が最新在圏情報格納部１１ｂ−２に格納されている場合には、最新在圏情報判定部５ｃは、取得された最新在圏情報のみで３Ｇ在圏情報が最新であるのか否か、あるいはＬＴＥ在圏情報が最新であるのか否かを判定するようになっていてもよい。
【００４７】
図３に戻って、判定結果情報送信部５ｄは、最新在圏情報判定部５ｃが３Ｇ在圏情報が最新であると判定した場合には、移動端末装置２３のローミング先の在圏エリアを提供する通信事業者に対してサービス要求信号を送信するようになっている。一方、判定結果情報送信部５ｄは、最新在圏情報判定部５ｃが３Ｇ在圏情報が最新でないと判定した場合には、通信サービス事業者に対して不応答判定結果情報を送信するようになっている。サービス要求信号には、例えば端末識別情報や３Ｇ在圏情報又はＬＴＥ在圏情報などが含まれる。不応答判定結果情報には、未在圏又はサービス提供範囲外であることを示すエラー応答情報が含まれる。
【００４８】
具体的には、在圏情報取得部５ｂが取得した３Ｇ在圏情報によって特定される３Ｇ在圏エリアを管理する第１通信事業者と、在圏情報取得部５ｂが取得したＬＴＥ在圏情報によって特定されるＬＴＥ在圏エリアを管理する第２通信事業者とが異なっており、最新在圏情報判定部５ｃが、在圏情報取得部５ｂの取得した最新在圏情報によって特定される通信事業者が第１通信事業者と同一であって３Ｇ在圏情報が最新であると判定した場合にのみ、判定結果情報送信部５ｄは、在圏エリアを提供する通信事業者に対してサービス要求信号を送信し、それ以外の場合には通信サービス事業者に対して不応答判定結果情報を送信するようになっていてもよい。
【００４９】
例えば、在圏情報取得部５ｂが端末識別情報の「α」に対応付けられた３Ｇ在圏情報、ＬＴＥ在圏情報及び最新在圏情報を取得したとする。図３に示すように、端末識別情報の「α」には、３Ｇ在圏情報の「ＣＣ＋ＮＤＣ＋ａａａ」、ＬＴＥ在圏情報の「ＭＣＣ＋ＭＮＣ＋ｂｂｂ」及び最新在圏情報の「Ａ」が対応付けられている。このため、最新在圏情報判定部５ｃは、図４に示す通信事業者情報ＤＢを参照し、在圏情報取得部５ｂが取得した３Ｇ在圏情報によって特定される３Ｇ在圏エリアを管理する第１通信事業者の事業者識別情報が「Ａ」であり、ＬＴＥ在圏情報によって特定されるＬＴＥ在圏エリアを管理する第２通信事業者の事業者識別情報が「Ｂ」であると導出する。最新在圏情報判定部５ｃは、導出した第１及び第２通信事業者の事業者識別情報が異なっていると判定する。また、最新在圏情報判定部５ｃは、導出した第１通信事業者の事業者識別情報と、在圏情報取得部５ｂが取得した最新在圏情報としての事業者識別情報とがいずれも「Ａ」であって同一であり、３Ｇ在圏情報が最新であると判定する。これにより、判定結果情報送信部５ｄは、在圏エリアを提供する通信事業者に対し、端末識別情報の「α」と３Ｇ在圏情報の「ＣＣ＋ＮＤＣ＋ａａａ」を含むサービス要求信号を送信する。
【００５０】
ところで、最新在圏情報判定部５ｃが、在圏情報取得部５ｂが取得した３Ｇ在圏情報及びＬＴＥ在圏情報に基づいて導出された第１及び第２通信事業者の事業者識別情報が同一であると判定したとする。この場合、判定結果情報送信部５ｄは、通信サービス事業者に対して不応答判定結果情報を送信する。このように、ＧＭＬＣ５は、３Ｇ在圏情報が最新の場合にのみ、すなわち移動端末装置２３が現に在圏しているのが３Ｇ在圏エリアである場合にのみ、当該３Ｇ在圏エリアを管理する通信事業者にサービス要求信号を送信し、移動端末装置２３が現に在圏しているのがＬＴＥ在圏エリアの場合には、通信事業者によらずサービス要求信号を送信しない。これにより、ＧＭＬＣ５は、移動端末装置２３が現に在圏しているはずの在圏エリアの通信事業者とは異なる通信事業者に信号を送信してしまったり、ＬＴＥ在圏エリアに当該信号を送信してしまったりするのを防止できる。最新在圏情報判定部５ｃにおける当該処理は、移動端末装置２３がＬＴＥ在圏エリアに在圏している場合には常にサービス要求信号を送信しないので、通信事業者のＬＴＥローミングに対するサービスレベルが低い期間（例えば、ＬＴＥローミングサービス提供が開始されてから所定期間の間）で有効である。
【００５１】
ＧＭＬＣ５における別の処理として、在圏情報取得部５ｂが取得した３Ｇ在圏情報によって特定される３Ｇ在圏エリアを管理する第１通信事業者と、在圏情報取得部５ｂが取得したＬＴＥ在圏情報によって特定されるＬＴＥ在圏エリアを管理する第２通信事業者とが異なっており、最新在圏情報判定部５ｃが、在圏情報取得部５ｂの取得した最新在圏情報によって特定される通信事業者が第１又は第２通信事業者の少なくともいずれか一方と同一であると判定した場合には、判定結果情報送信部５ｄは、移動端末装置２３が在圏している在圏エリアを提供する通信事業者に対してサービス要求信号を送信し、最新在圏情報によって特定される通信事業者が第１又は第２通信事業者のいずれとも異なっていると判定した場合には、通信サービス事業者に対して不応答判定結果情報を送信するようになっていてもよい。
【００５２】
例えば、在圏情報取得部５ｂが端末識別情報の「α」に対応付けられた３Ｇ在圏情報、ＬＴＥ在圏情報及び最新在圏情報を取得したとする。図３に示すように、端末識別情報の「α」には、３Ｇ在圏情報の「ＣＣ＋ＮＤＣ＋ａａａ」、ＬＴＥ在圏情報の「ＭＣＣ＋ＭＮＣ＋ｂｂｂ」及び最新在圏情報の「Ａ」が対応付けられている。このため、最新在圏情報判定部５ｃは、図４に示す通信事業者情報ＤＢを参照し、在圏情報取得部５ｂが取得した３Ｇ在圏情報によって特定される３Ｇ在圏エリアを管理する第１通信事業者の事業者識別情報が「Ａ」であり、ＬＴＥ在圏情報によって特定されるＬＴＥ在圏エリアを管理する第２通信事業者の事業者識別情報が「Ｂ」であると導出する。最新在圏情報判定部５ｃは、導出した第１通信事業者の事業者識別情報と、在圏情報取得部５ｂが取得した最新在圏情報としての事業者識別情報とがいずれも「Ａ」であって同一であり、３Ｇ在圏情報が最新であると判定する。これにより、判定結果情報送信部５ｄは、在圏エリアを提供する通信事業者に対し、端末識別情報「α」と３Ｇ在圏情報「ＣＣ＋ＮＤＣ＋ａａａ」を含むサービス要求信号を送信する。
【００５３】
また例えば、在圏情報取得部５ｂが端末識別情報の「β」に対応付けられた３Ｇ在圏情報、ＬＴＥ在圏情報及び最新在圏情報を取得したとする。図３に示すように、端末識別情報の「β」には、３Ｇ在圏情報の「ＣＣ＋ＮＤＣ＋ａａａ」、ＬＴＥ在圏情報の「ＭＣＣ＋ＭＮＣ＋ｃｃｃ」及び最新在圏情報の「Ｃ」が対応付けられている。このため、最新在圏情報判定部５ｃは、図４に示す通信事業者情報ＤＢを参照し、在圏情報取得部５ｂが取得した３Ｇ在圏情報によって特定される３Ｇ在圏エリアを管理する第１通信事業者の事業者識別情報が「Ａ」であり、ＬＴＥ在圏情報によって特定されるＬＴＥ在圏エリアを管理する第２通信事業者の事業者識別情報が「Ｃ」であると導出する。最新在圏情報判定部５ｃは、導出した第１通信事業者の事業者識別情報が「Ａ」であり、在圏情報取得部５ｂが取得した最新在圏情報としての事業者識別情報が「Ｃ」であって同一ではなく、３Ｇ在圏情報が最新でないと判定する。次に、最新在圏情報判定部５ｃは、導出した第２通信事業者の事業者識別情報が「Ｃ」であり、在圏情報取得部５ｂが取得した最新在圏情報としての事業者識別情報が「Ｃ」であって同一であり、ＬＴＥ在圏情報が最新であると判定する。これにより、判定結果情報送信部５ｄは、在圏エリアを提供する通信事業者に対し、端末識別情報「β」とＬＴＥ在圏情報「ＭＣＣ＋ＭＮＣ＋ｃｃｃ」を含むサービス要求信号を送信する。
【００５４】
このように、ＧＭＬＣ５は、３Ｇ在圏情報又はＬＴＥ在圏情報が最新の場合、すなわち移動端末装置２３が現に在圏しているのが３Ｇ在圏エリア又はＬＴＥ在圏エリアの場合、当該３Ｇ在圏エリア又はＬＴＥ在圏エリアを管理する通信事業者にサービス要求信号を送信し、移動端末装置２３が現に在圏していないＬＴＥ在圏エリア又は３Ｇ在圏エリアを管理する通信事業者にはサービス要求信号を送信しない。これにより、ＧＭＬＣ５は、移動端末装置２３が現に在圏しているはずの在圏エリアの通信事業者とは異なる通信事業者に信号を送信してしまうのを防止できる。最新在圏情報判定部５ｃにおける当該処理は、移動端末装置２３がＬＴＥ在圏エリアに在圏している場合にもサービス要求信号が送信される可能性があるので、ＬＴＥローミングに対応する通信事業者のサービスレベルが向上した時期（例えば、ＬＴＥローミングサービス提供が開始されてから所定期間の経過後）で有効である。ＧＭＬＣ５は、通信事業者情報ＤＢにおいて通信事業者ごとに提供可能なサービス内容を保持しておき、３Ｇ在圏情報ではなくＬＴＥ在圏情報が最新の情報と判定した場合に、ＬＴＥ在圏情報に基づいて特定された通信事業者が要求された通信サービスの内容をＬＴＥローミングにおいて提供しているのか否かを判定し、当該サービスを提供している場合にはサービス要求信号を当該通信事業者に送信するようにしてもよい。
【００５５】
次に、本実施の形態による加入者情報管理装置及び中継装置を備えた通信システムの通信方法（動作）について図１から図４を参照しつつ図５から図９を用いて説明する。本実施の形態による通信システム１の通信方法を説明する前に、従来の通信システムにおける問題点について図５から図７を用いて説明する。
【００５６】
（従来の通信システムの問題点）
図５は、ＬＴＥローミングサービス提供前の従来のホーム網ＮＷ１５０及びローミング網ＮＷ２００の概略構成を示している。図５に示すように、ＬＴＥローミングサービス提供前のホーム網ＮＷ１５０を構成する通信システム１５１は、ＧＭＬＣ１５５と、Ｐ−ＧＷ（Ｐａｃｋｅｔ  Ｄａｔａ  Ｎｅｔｗｏｒｋ（ＰＤＮ）−Ｇａｔｅｗａｙ）１５７と、ＭＡＰＳ（Ｍｕｌｔｉ  Ａｃｃｅｓｓ  Ｐｌａｔｆｏｒｍ  Ｓｙｓｔｅｍ）１５９と、ＨＳＳ１６１とを有している。また、ホーム網ＮＷ１５０には、ＬＣＳ−Ｃｌｉｅｎｔ１８０が設けられている。ＧＭＬＣ１５５は、最新在圏情報判定部５ｃ及び判定結果情報送信部５ｄを有していない点を除いて、ＧＭＬＣ５と同一の構成を有し、同一の機能を発揮するので、詳細な説明は省略する。ＨＳＳ１６１は、最新在圏情報格納部１１ｂ−２を有していない点を除いて、ＨＳＳ１１と同一の構成を有し、同一の機能を発揮するので、詳細な説明は省略する。ＬＣＳ−Ｃｌｉｅｎｔ１８０は、ＬＣＳ−Ｃｌｉｅｎｔ３０と同一の構成を有し、同一の機能を発揮するので、詳細な説明は省略する。
【００５７】
Ｐ−ＧＷ１５７は、不図示のＭＭＥとともにコアネットワークを構成している。Ｐ−ＧＷ１５７は、ＰＤＮとの接続点であり、ＩＰアドレスの割り当てなどを行うとともに、ＰＤＮから移動端末装置２３等への全てのユーザデータパケットを受けるゲートウェイ装置である。
ＭＡＰＳ１５９は、データ通信を用いてモバイル環境からの快適なインターネット接続環境などを提供するためのシステムである。ＭＡＰＳ１５９は、各々のアクセス回線の帯域や常時接続などの特徴に応じて、最適なネットワークサービスを提供するために不要パケットの遮断や帯域制御を行うようになっている。
【００５８】
ホーム網ＮＷ１５０を構成する通信システム１５１は、他の通信事業者のローミング網ＮＷ２００を構成する通信システム２０１と、３Ｇ通信方式による通信を行うことができるようになっている。ローミング網ＮＷ２００は、移動端末装置２３のローミング先ネットワークである。移動端末装置２３は、通信システム１５１を構成するＨＳＳ１６１に端末識別情報がユーザ登録されたユーザ端末装置である。ローミング網ＮＷ２００を構成する当該他の通信事業者の通信システム２０１は、ＧＭＬＣ２０５と、ＧＭＬＣ２０５に接続されたｘＧＳＮ２１３と、ｘＧＳＮ２１３に接続されたＲＮＣ２１５と、ＲＮＣ２１５に接続されたＢＴＳ２１７と、ＧＭＬＣ２０５に接続されたＭＭＥ２１９と、ＭＭＥ２１９に接続されたｅＮｏｄｅＢ２２１と、ＭＭＥ２１９とともにコアネットワークを構成するＳ−ＧＷ（Ｓｅｒｖｉｎｇ−Ｇａｔｅｗａｙ）２２３とを有している。ＧＭＬＣ２０５とＧＭＬＣ１０５、ｘＧＳＮ２１３はｘＧＳＮ１１３と、ＲＮＣ２１５はＲＮＣ１１５と、ＢＴＳ２１７はＢＴＳ１１７と、それぞれ同一の構成を有し、同一の機能を発揮するので、詳細な説明は省略する。ＭＭＥ２１９及びｅＮｏｄｅＢ２２１は、通信システム１５１との間でＬＴＥ方式に従う通信（パケット通信）を実行する機能を発揮できない点を除いて、ＭＭＥ１１９及びｅＮｏｄｅＢ１２１と、それぞれ同一の構成を有し、同一の機能を発揮するので、詳細な説明は省略する。
Ｓ−ＧＷ２２３は、ＭＭＥ２１９に接続されており、ＭＭＥ２１９の指令に基づいてユーザデータパケットの伝達制御を行うゲートウェイ装置である。
【００５９】
ＬＴＥローミングサービス提供前の通信システム１５１は、Ｐ−ＧＷ１５７とローミング網ＮＷ２００を構成する通信システム２０１のＳ−ＧＷ２２３との間でＬＴＥ方式による通信を提供できない。このため、ＨＳＳ１６１にユーザ登録された移動端末装置２３は、ローミング先のＬＴＥ在圏エリアＥ２０２からｅＮｏｄｅＢ２２１及びＳ−ＧＷ２２３を介して通信システム１５１のＰ−ＧＷ１５７に対してＬＴＥパケット通信や基地局測位要求を実施できない。さらに、ＬＴＥローミングサービス提供前の通信システム１５１では、ローミング網ＮＷ２００から送信される信号、例えば基地局測位要求信号は、３Ｇ方式に従っている。このため、ＨＳＳ１６１は、移動端末装置２３がローミングアウトしたローミング先のローミング網ＮＷ２００内の３Ｇ在圏エリアＥ２０１と、３Ｇ在圏エリアＥ２０１を管理する通信事業者とを把握していればよい。
【００６０】
図６は、ＬＴＥローミングサービス提供後であってＬＴＥ基地局測位サービス提供前（以下、ＬＴＥ基地局測位サービス提供前の状態を「ＬＴＥローミングサービス提供直後」と称する）の従来のホーム網ＮＷ１５０及びローミング網ＮＷ２０２の概略構成を示している。図６に示すように、ＬＴＥローミングサービス提供直後のホーム網ＮＷ１５０及びローミング網ＮＷ２０２の概略構成は、図５に示すＬＴＥローミングサービス提供前のＬＴＥローミングサービス提供直後の当該ホーム網ＮＷ１５０及びローミング網ＮＷ２０２の概略構成と同一である。通信システム２０１は、Ｓ−ＧＷ２２３と、ホーム網ＮＷ１５０を構成する通信システム１５１のＰ−ＧＷ１５７との間でＬＴＥ方式による一部の通信を提供できる点において、ＬＴＥローミングサービス提供前の通信システム２０１とは機能的な相違を有している。ＬＴＥローミングサービス提供直後のローミング網ＮＷ２００は、例えばＬＴＥ方式による基地局測位要求を制限しているが、ＬＴＥ方式によるその他のパケット通信を制限していない。したがって、ローミング網ＮＷ２００内のＬＴＥ在圏エリアＥ２０２に在圏している移動端末装置２３からホーム網ＮＷ１５０の通信システム１５１に対してパケット信号が送信される場合がある。このため、ＬＴＥローミングサービス提供直後の通信システム１５１に設けられたＨＳＳ１６１は、３Ｇ在圏情報及びＬＴＥ在圏情報を個別に管理するようになっている。
【００６１】
図７は、ＬＴＥローミングサービス提供直後の通信システム１５１の問題点を説明する図である。図７では、ホーム網ＮＷ１５０を構成する通信システム１５１に設けられたＧＭＬＣ１５５及びＨＳＳ１６１のみが抜き出して図示されている。また、移動端末装置２３のローミング先のローミング網２００、３００については、ローミング網ＮＷ２００内の３Ｇ在圏エリアＥ２０１及びＬＴＥ在圏エリアＥ２０２と、ローミング網ＮＷ３００内の３Ｇ在圏エリアＥ３０１及びＬＴＥ在圏エリアＥ３０２とが図示され、その他の構成要素の図示は省略されている。
図７に示すように、ローミングサービス提供直後の通信システム１５１に設けられたＨＳＳ１６１は、３Ｇ在圏情報及びＬＴＥ在圏情報を個別に格納しておく必要がある。このため、ＨＳＳ１６１は、３Ｇ在圏情報を格納する格納部と、ＬＴＥ在圏情報を格納する格納部とを備えた加入者情報ＤＢ１６１ａを有している。
【００６２】
例えば移動端末装置２３がローミング網ＮＷ２００内の３Ｇ在圏エリアＥ２０１に在圏している際に位置登録処理を実行すると、３Ｇ在圏エリアＥ２０１を管理する通信システムは、ＨＳＳ１６１に対して位置登録信号を送信する。これにより、３Ｇ在圏エリアＥ２０１の３Ｇ在圏情報として、３Ｇ在圏エリアＥ２０１を収容するｘＧＳＮの交換機番号の例えば「ａａａ」と事業者情報の例えば「ＣＣ＋ＮＤＣ」とがＨＳＳ１６１の加入者情報ＤＢ１６１ａの３Ｇ在圏情報用格納部（「在圏情報」の「３Ｇ」）に格納される（矢印Ｙ１）。その後、移動端末装置２３がローミング網ＮＷ２００からローミング網ＮＷ３００に移動し、ローミング網ＮＷ３００内のＬＴＥ在圏エリアＥ３０２に在圏すると、ＬＴＥ在圏エリアＥ３０２を管理する通信システムは、ＨＳＳ１６１に対して位置登録信号を送信する。これにより、ＬＴＥ在圏エリアＥ３０２のＬＴＥ在圏情報として、ＬＴＥ在圏エリアＥ３０２を収容するＭＭＥの交換機番号の例えば「ｂｂｂ」と事業者情報の例えば「ＭＣＣ＋ＭＮＣ」とがＨＳＳ１６１の加入者情報ＤＢ１６１ａのＬＴＥ在圏情報用格納部（「在圏情報」の「ＬＴＥ」）に格納される（矢印Ｙ２）。このように、ホーム網ＮＷ１５０のＨＳＳ１６１は、ユーザ登録された移動端末装置２３が在圏している在圏エリアの在圏情報（３Ｇ在圏情報及びＬＴＥ在圏情報）について個別に保持している。
【００６３】
ＨＳＳ１６１は、これらの在圏情報から移動端末装置がどの通信事業者の管理する在圏エリアに在圏しているのかを導出し、当該通信事業者のローミング提供可否判定などを行っている。ＬＴＥローミングサービス提供前は、３Ｇ方式を利用したローミングである３Ｇローミングのみの提供であったため３Ｇ在圏情報から当該通信事業者を導出すればよかった。しかし、ＬＴＥローミングサービス提供後では、ＨＳＳ１６１は、３Ｇ在圏情報から該当通信事業者を導出すべきか、ＬＴＥ在圏情報から該当通信事業者を導出すべきかを判断できない。特に、移動端末装置２３がローミング先を変更するたびに、加入者情報ＤＢの３Ｇ在圏情報及びＬＴＥ在圏情報は更新されてしまう。さらに、加入者情報ＤＢ１６１ａは、３Ｇ在圏情報とＬＴＥ在圏情報とを併存して格納するようになっている。このため、ＨＳＳ１６１ａは、加入者情報ＤＢ１６１ａに格納された３Ｇ在圏情報に含まれる通信事業者の管理する在圏エリアと、ＬＴＥ在圏情報に含まれる通信事業者の管理する在圏エリアのいずれに移動端末装置２３が実際に在圏しているのかが判別できなくなるという問題が生じる。
【００６４】
また、ＬＴＥローミングサービス提供直後では、移動端末装置２３のローミング先であるローミング網ＮＷ２００、３００をそれぞれ構成する通信システムを管理する通信事業者は、ＬＴＥ在圏エリアからの基地局測位サービスを提供できるサービスレベルを有していない可能性がある。通信事業者は、ＬＴＥローミングでの基地局測位に対応するまでは、ローミング先の在圏エリアから移動端末装置が要求する基地局測位要求については３Ｇ在圏エリアに対してのみ提供することが想定される。そこで、通信システムは例えば、保持している３Ｇ在圏情報から導出した通信事業者に対して基地局測位要求信号を送信するという方法が考えられる。そこで例えば、通信システム１５１に設けられたＧＭＬＣ１５５は、移動端末装置２３から基地局測位要求を取得すると、ＨＳＳ１６１の加入者情報ＤＢから３Ｇ在圏情報を優先的に取得し（矢印Ｙ３）、取得した３Ｇ在圏情報に基づいて特定される３Ｇ在圏エリアＥ２０１を管理し、事業者識別情報が「Ａ」の通信事業者に対して基地局測位要求を実行してしまう可能性がある（矢印Ｙ４）。図７に示すように、移動端末装置２３は、当該基地局測位要求時に３Ｇ在圏エリアＥ２０１に在圏していないので、実際には移動端末装置２３が在圏していない在圏エリアを管理する通信事業者に基地局測位要求信号が送信されてしまう。このように、移動端末装置２３が実際にＬＴＥ方式の在圏エリアに在圏していると、実際に在圏している在圏エリアの通信事業者とは異なる通信事業者に対して本来抑止すべき信号が送信されてしまう可能性がある。同一通信事業者内において、ＬＴＥ網に送信すべき信号が３Ｇ網に誤って送信されることは許容されたとしても、異なる通信事業者に余計な信号が送信されることは許容されるべきでない。基地局測位要求信号送信時において、移動端末装置２３とは無関係な通信事業者に対して当該測位要求信号が送信されてしまうと、当該通信事業者の設備負荷の増大や不要な事業者間清算が発生してしまうという問題が生じる。
【００６５】
本実施の形態による加入者情報管理装置としてのＨＳＳ１１は、加入者情報ＤＢに最新在圏情報格納部１１ｂ−２（図３参照）を有し、情報格納部１１ｂ−１に格納された３Ｇ在圏情報及びＬＴＥ在圏情報のいずれが最新の情報であるのかを管理できるようになっている。また、本実施の形態による中継装置としてのＧＭＬＣ５は、加入者情報ＤＢに格納された３Ｇ在圏情報及びＬＴＥ在圏情報並びに最新在圏情報に基づいて、３Ｇ在圏情報が最新であるのか否かを判定するようになっている。ＧＭＬＣ５は、３Ｇ在圏情報が最新であると判定した場合には、ローミング先の３Ｇ在圏エリアを提供している通信事業者に対してサービス要求信号（例えば、端末識別情報などを含む測位要求信号）を送信する。また、ＧＭＬＣ５は、３Ｇ在圏情報が最新でないと判定した場合には、測位要求した通信サービス事業者に対して不応答判定結果情報を送信し、すなわちローミング先の３Ｇ在圏エリアを提供している通信事業者にサービス要求信号を送信しないようになっている。これにより、本実施の形態による加入者情報管理装置、中継装置及びそれらを備えた通信システムは、ユーザ登録された移動端末装置が在圏していない在圏エリアを提供する通信事業者やＬＴＥローミングに対するサービスレベルの低い通信事業者に対して測位要求信号などの不要なサービス要求信号が送信されてしまうのを抑制し、当該通信事業者の設備負荷の増大や不要な事業者間清算の発生を防止できる。
【００６６】
（通信システム１の通信方法）
次に、本実施の形態による通信システム１の通信方法について、図１から図４を参照しつつ図８を用いて説明する。図８は、通信システム１の通信方法を説明する図であって、通信システム１の動作を示すシーケンス図である。図８では、通信システム１の構成要素のうち、ＧＭＬＣ５、ＨＳＳ１１、ＭＭＥ１９とともにコアネットワークを構成するＰ−ＧＷ２５及びｘＧＳＮ１３に設けられたＧＧＳＮ１３ａが示され、通信システム１に本来設けられているＲＮＣ１５、ＢＴＳ１７、ＭＭＥ１９及びｅＮｏｄｅＢ２１の図示は省略されている。また、図８では、ユーザ登録されてＨＳＳ１１において加入者情報が管理されている移動端末装置２３と、移動端末装置２３のローミング先のローミング網を提供する通信事業者Ａ、Ｂが図示されている。通信事業者Ａについては、通信事業者Ａの通信システム１００の構成要素のうち、ｘＧＳＮに設けられたＳＧＳＮ１１３ａのみが抜き出して示されている。通信事業者Ｂについては、通信事業者Ｂの通信システム４００の構成要素のうち、ＧＭＬＣ４０５、Ｓ−ＧＷ４２７及びＭＭＥ４１９のみが抜き出して示されている。
【００６７】
図８に示すように、移動端末装置２３がホーム網ＮＷ２からローミングアウトして通信事業者Ａの管理する３Ｇ在圏エリア（不図示）に在圏すると、移動端末装置２３は、ＳＧＳＮ１１３ａに対して位置登録処理を実行する（ステップＳ１）。位置登録処理においてＳＧＳＮ１１３ａに送信される信号には、移動端末装置２３の端末識別情報（本例では、「α」とする）が含まれる。
【００６８】
当該位置登録処理が終了すると、通信システム１００は、ホーム網ＮＷ２の通信システム１に設けられたＨＳＳ１１に対して位置登録信号を含む位置登録処理を実行する（ステップＳ２）。当該位置登録信号のユーザプロファイルには、移動端末装置２３の端末識別情報と、３Ｇ在圏情報（移動端末装置２３が在圏している在圏エリアの在圏情報（本例では、ＳＧＳＮ１１３ａのＳＧＳＮ−Ｎｕｍｂｅｒ（以下、「ＳＧＳＮ番号」と称する）に含まれるｘＧＳＮの交換機番号の例えば「ａａａ」と、通信事業者Ａの事業者情報（国コード及び国内宛先コードの例えば「ＣＣ＋ＮＤＣ」））と、通信事業者Ａの事業者識別情報（本例では、「Ａ」）とが含まれる。
【００６９】
位置登録信号受信部１１ａ（図２参照）を介して位置登録信号を受信したＨＳＳ１１は、情報記憶部１１ｂの加入者情報ＤＢの情報格納部１１ｂ−１に当該位置登録信号に含まれた端末識別情報「α」及び３Ｇ在圏情報「ＣＣ＋ＮＤＣ＋ａａａ」を格納して更新し、加入者情報を記憶する（ステップＳ３）。例えばＨＳＳ１１は、加入者情報ＤＢの情報格納部１１ｂ−１に設けられた「端末識別情報」の格納領域に「α」を格納し、「在圏情報」の「３Ｇ」の格納領域（図３参照）に当該３Ｇ在圏情報を格納する。
【００７０】
さらに、ＨＳＳ１１は、当該位置登録信号に含まれた事業者識別情報の「Ａ」を最新在圏情報格納部１１ｂ−２の格納領域（図３参照）に格納し、最新在圏情報格納部１１ｂ−２に格納された最新在圏情報を更新して記憶する（ステップＳ４）。以下、最新在圏情報格納部１１ｂ−２に記憶された最新在圏情報を「最新ＮＩＤ」と称する場合がある。
これにより、ＨＳＳ１１に設けられた情報記憶部１１ｂの加入者情報ＤＢには、移動端末装置２３の端末識別情報の「α」に対応付けて、３Ｇ在圏情報の「ＣＣ＋ＮＤＣ＋ａａａ」及び最新在圏情報の「Ａ」が保持される（図３参照）。
【００７１】
ＨＳＳ１１に最新在圏情報等が保持された後に、移動端末装置２３が通信事業者Ａの管理するローミング網ＮＷから通信事業者Ｂの管理するローミング網ＮＷに移動し、ローミング網ＮＷ内のＬＴＥ在圏エリアに在圏したとする（ステップＳ５）。そうすると、移動端末装置２３は、通信事業者Ｂの通信システム４００に設けられたＭＭＥ４１９に対して位置登録処理を実行する（ステップＳ６）。位置登録処理においてＭＭＥ４１９に送信される信号には、移動端末装置２３の端末識別情報の「α」が含まれる。
【００７２】
当該位置登録処理が終了すると、通信システム４００は、ホーム網ＮＷ２の通信システム１に設けられたＨＳＳ１１に対して位置登録信号を含む位置登録処理を実行する（ステップＳ７）。当該位置登録信号のユーザプロファイルには、移動端末装置２３の端末識別情報と、ＬＴＥ在圏情報（移動端末装置２３が在圏している在圏エリアの在圏情報（本例では、ＭＭＥ４１９のＭＭＥ−Ｎａｍｅ（以下、「ＭＭＥ名」と称する）に含まれるＭＭＥの交換機番号の例えば「ｂｂｂ」及び通信事業者Ｂの事業者情報（運用地域コード及び識別コードの例えば「ＭＣＣ＋ＭＮＣ」））と、通信事業者Ｂの事業者識別情報（本例では、「Ｂ」）とが含まれる。
【００７３】
位置登録信号受信部１１ａ（図２参照）を介して位置登録信号を受信したＨＳＳ１１は、端末識別情報の「α」が格納された格納領域に対応する情報格納部１１ｂ−１及び最新在圏情報格納部１１ｂ−２のそれぞれの格納領域に、位置登録信号に含まれたＬＴＥ在圏情報を格納する。ＨＳＳ１１ａは、情報格納部１１ｂ−１にＬＴＥ在圏情報の「ＭＣＣ＋ＭＮＣ＋ｂｂｂ」を格納して更新し、加入者情報を記憶する（ステップＳ８）。ＨＳＳ１１は、加入者情報ＤＢの情報格納部１１ｂ−１において端末識別情報の「α」が格納された格納領域と同じ行（図３に示す加入者情報ＤＢにおける第１行目）の「在圏情報」の「ＬＴＥ」の格納領域に当該ＬＴＥ在圏情報を格納する。
【００７４】
さらに、ＨＳＳ１１は、当該位置登録信号に含まれた事業者識別情報の「Ｂ」を、加入者情報ＤＢの情報格納部１１ｂ−１において端末識別情報「α」が格納された格納領域と同じ行（図３に示す加入者情報ＤＢにおける第１行目）の、最新在圏情報格納部１１ｂ−２の格納領域に格納し、最新在圏情報格納部１１ｂ−２に格納された最新在圏情報を更新して記憶する（ステップＳ９）。
【００７５】
ＨＳＳ１１に最新在圏情報等が保持された後に、移動端末装置２３は、ホーム網ＮＷ２内に設けられたＬＣＳ−Ｃｌｉｅｎｔ３０に対して基地局測位要求信号を含む基地局測位要求を実行する（ステップＳ１０）。当該基地局測位要求信号には、移動端末装置２３の端末識別情報の「α」が含まれる。
当該基地局測位要求信号を受信したＬＣＳ−Ｃｌｉｅｎｔ３０は、ＧＭＬＣ５に対して通信サービス要求としての基地局測位要求を実行する（ステップＳ１１）。ＧＭＬＣ５は、当該基地局測位要求に含まれた、通信サービス要求信号としての基地局測位要求信号を通信サービス要求取得部５ａで取得する（図２参照）。当該基地局測位要求信号には、端末識別情報「α」が含まれる。
【００７６】
ＧＭＬＣ５は、在圏情報取得部５ｂを介して当該基地局測位要求信号をＨＳＳ１１に転送する（ステップＳ１２）。
ＨＳＳ１１は、在圏情報取得部１１ｃを動作させて、当該基地局測位要求信号に含まれた端末識別情報の「α」に対応付けて情報格納部１１ｂ−１に格納した在圏情報と、最新在圏情報格納部１１ｂ−２に格納した最新在圏情報の「Ｂ」とを取得し、ＧＭＬＣ５に対して在圏情報取得応答を実行する（ステップＳ１３）。ＨＳＳ１１は、情報記憶部１１ｂから在圏情報等を取得する際に、取得対象として最新在圏情報もパラメータ指定するようになっている。これにより、在圏情報取得部１１ｃは、情報記憶部１１ｂに記憶された最新在圏情報を取得できる。ＨＳＳ１１は、在圏情報取得応答の際に、情報格納部１１ｂ−１に格納された３Ｇ在圏情報の「ＣＣ＋ＮＤＣ＋ａａａ」及びＬＴＥ在圏情報の「ＭＣＣ＋ＭＮＣ＋ｂｂｂ」と、最新在圏情報格納部１１ｂ−２に格納された最新在圏情報の「Ｂ」を含む応答信号をＧＭＬＣ５に送信する。また、ＨＳＳ１１は、加入者情報ＤＢから「パケットローミング中フラグ」に格納されたローミング情報も取得して、在圏情報取得応答の際に、当該ローミング情報もＧＭＬＣ５に送信する。
【００７７】
ＧＭＬＣ５は、送信されたローミング情報がローミング中でないことを示す情報である場合には、既存の国内セル測位処理を実行し、当該ローミング情報がローミング中であることを示す情報である場合には、以下のサービス提供条件判定処理（図８に示すステップＳ１４からステップＳ２０までの処理）を実行するようになっている。
ＧＭＬＣ５は、在圏情報取得部５ｂを介して在圏情報及び最新在圏情報を取得すると、３Ｇ在圏情報のＳＧＳＮ番号の「ＣＣ＋ＮＤＣ＋ａａａ」から抽出した事業者情報の国コード及び国内宛先コードと同一の３Ｇ事業者情報の国コード及び国内宛先コードに対応付けられた事業者識別情報（以下、「３Ｇ＿ＮＩＤ」と称する）を通信事業者情報ＤＢから導出する（ステップＳ１４）。本例では、通信事業者情報ＤＢは、事業者識別情報の「Ａ」に対応付けてＣＣ＋ＮＤＣを格納している（図４参照）。このため、ＧＭＬＣ５は、通信事業者情報ＤＢを参照して３Ｇ＿ＮＩＤとして「Ａ」を導出する。
【００７８】
また、ＧＭＬＣ５は、在圏情報取得部５ｂを介して取得したＬＴＥ在圏情報のＭＭＥ名の「ＭＣＣ＋ＭＮＣ＋ｂｂｂ」から抽出した事業者情報の運用地域コード及び識別コードと同一のＬＴＥ事業者情報の運用地域コード及び識別コードに対応付けられた事業者識別情報（以下、「ＬＴＥ＿ＮＩＤ」と称する）を通信事業者情報ＤＢから導出する（ステップＳ１５）。本例では、通信事業者情報ＤＢは、事業者識別情報の「Ｂ」に対応付けてＭＣＣ＋ＭＮＣを格納している（図４参照）。このため、ＧＭＬＣ５は、通信事業者情報ＤＢを参照してＬＴＥ＿ＮＩＤとして「Ｂ」を導出する。
【００７９】
ＧＭＬＣ５は、導出した３Ｇ＿ＮＩＤが最新ＮＩＤと同一か否かを判定する（ステップＳ１６）。本例では、３Ｇ＿ＮＩＤは「Ａ」であり、最新ＮＩＤは「Ｂ」であるため、ＧＭＬＣ５は、３Ｇ＿ＮＩＤと最新ＮＩＤとは同一でないと判定する（ステップＳ１６のＮｏ）。
ＧＭＬＣ５は、ステップＳ１６の次に、導出したＬＴＥ＿ＮＩＤが最新ＮＩＤと同一か否かを判定する（ステップＳ１８）。本例では、ＬＴＥ＿ＮＩＤは「Ｂ」であり、最新ＮＩＤは「Ｂ」であるため、ＧＭＬＣ５は、ＬＴＥ＿ＮＩＤと最新ＮＩＤとは同一であると判定する（ステップＳ１８のＹｅｓ）。
【００８０】
ＧＭＬＣ５は、ＬＴＥローミングサービス提供直後であって、ＬＴＥ方式による基地局測位要求を一律規制すると判定し、サービス提供範囲外であることを示す情報を含むエラー応答をＬＣＳ−Ｃｌｉｅｎｔ３０に返却する（ステップＳ１９）。当該エラー応答は、ＭＬＰ＿ＳＬＩＡ（Ｍｏｂｉｌｅ Ｌｏｃａｔｉｏｎ Ｐｒｏｔｏｃｏｌ（ＭＬＰ） Ｓｔａｎｄａｒｄ Ｌｏｃａｔｉｏｎ Ｉｍｍｅｄｉａｔｅ Ａｎｓｗｅｒ（ＳＬＩＡ）を用いてＬＣＳ−Ｃｌｉｅｎｔ３０に返却される。
【００８１】
一方、ステップＳ１６において、ＧＭＬＣ５が３Ｇ＿ＮＩＤと最新ＮＩＤとが同一であると判定した場合には（ステップＳ１６のＹｅｓ）、通信事業者Ｂの管理する通信システム４００に設けられたＧＭＬＣ４０５に対して通信サービス要求として基地局測位要求を実行する（ステップＳ１７）。当該基地局測位要求には、端末識別情報と３Ｇ在圏情報とが含まれる。
当該基地局測位要求を取得したＧＭＬＣ４０５は、当該要求に含まれた端末識別情報の移動端末装置が在圏している在圏エリアの緯度経度情報を含む基地局測位応答を通信システム１のＧＭＬＣ５に対して実行する（ステップＳ２１）。
【００８２】
ＧＭＬＣ５は、当該基地局測位応答に含まれた緯度経度情報をＬＣＳ−Ｃｌｉｅｎｔ３０に転送する（ステップＳ２２）。
さらに一方、ＧＭＬＣ５は、ステップＳ１８においてＬＴＥ＿ＮＩＤと最新ＮＩＤとが同一でないと判定した場合には（ステップＳ１８のＮｏ）、移動端末装置２３が３Ｇ及びＬＴＥのいずれの在圏エリアにも在圏していない（未在圏）ことを示す情報を含むエラー応答をＬＣＳ−Ｃｌｉｅｎｔ３０に返却する（ステップＳ２０）。
【００８３】
以上説明したように、本実施の形態による加入者情報管理装置、中継装置、それらを備えた通信システム及び通信システムの通信方法によれば、移動端末装置２３が現に在圏しているはずの在圏エリアの通信事業者とは異なる通信事業者に信号を送信してしまったり、ＬＴＥ在圏エリアに当該信号を送信してしまったりするのを防止できる。また、本実施の形態による通信システム１は、３Ｇ在圏情報及びＬＴＥ在圏情報を個別に管理していても、３Ｇ在圏情報及びＬＴＥ在圏情報のいずれが最新であるのかを特定できる。このため、本実施の形態は、ＩＳＲ機能を備えた通信システムに好適である。
【００８４】
（通信システム１の通信方法の変形例）
次に、本実施の形態の変形例による通信システム１の通信方法について図９を用いて説明する。図９は、本変形例による通信システム１の通信方法を説明する図であって、通信システム１の動作を示すシーケンス図である。本変形例による通信システム１の通信方法は、移動端末装置のローミング先の通信事業者のＬＴＥローミングに対するサービスレベルが向上した場合に好適に用いることができる。図９は、通信システム１などが図８と同様に図示されている。また、本変形例による通信システム１の通信方法は、図８に示すのとほぼ同様であるため、異なる点のみを簡述する。
図９に示すステップＳ１０１からステップＳ１１７、ステップＳ１２１及びステップＳ１２２における処理は、図８に示すステップＳ１からステップＳ７、ステップＳ２１及びステップＳ２２における処理と同様であるため、説明は省略する。
【００８５】
ＧＭＬＣ５は、ステップＳ１１６において３Ｇ＿ＮＩＤと最新ＮＩＤとは同一でないと判定したら（ステップＳ１１６のＮｏ）、導出したＬＴＥ＿ＮＩＤが最新ＮＩＤと同一か否かを判定する（ステップＳ１１８）。ＧＭＬＣ５は、ＬＴＥ＿ＮＩＤと最新ＮＩＤとは同一であると判定した場合には（ステップＳ１１８のＹｅｓ）、通信事業者Ｂの管理する通信システム４００に設けられたＧＭＬＣ４０５に対して通信サービス要求として基地局測位要求を実行する（ステップＳ１１７）。
このように、本変形例による通信システム１の通信方法では、移動端末装置２３がＬＴＥ在圏エリアに在圏していても基地局測位要求を実行できる。
【００８６】
本発明は、コンピュータプログラムとして具体化することができる。例えば、ＨＳＳ１１及びＧＭＬＣ５の各部の機能を通信用プログラムとして実現することもできる。したがって、本発明の一部または全ては、ハードウェアまたはソフトウェア（ファームウェア、常駐ソフトウェア、マイクロコード、ステートマシン、ゲートアレイ等を含む）に組み入れることができる。さらに、本発明は、コンピュータによって使用可能な、またはコンピュータ可読の記憶媒体上のコンピュータプログラム製品の形態をとることができ、この媒体には、コンピュータによって使用可能な、またはコンピュータ可読のプログラムコードが組み入れられる。本明細書のコンテキストでは、コンピュータによって使用可能な、またはコンピュータ可読の媒体は、命令実行システム、装置若しくはデバイスによって、またはそれらとともに使用されるプログラムを、収録する、記憶する、通信する、伝搬する、または搬送することのできる、任意の媒体とすることができる。
【００８７】
本発明は、上記実施の形態に限らず種々の変形が可能である。
図８を用いて説明した上記実施の形態による通信システム１の通信方法のステップＳ１８において、ＬＴＥ＿ＮＩＤと最新ＮＩＤとが同一でないと判定した場合には一律に、移動端末装置２３が３Ｇ及びＬＴＥのいずれの在圏エリアにも在圏していない（未在圏）ことを示す情報を含むエラー応答をＬＣＳ−Ｃｌｉｅｎｔ３０に返却するようになっているが、本発明は、これに限られない。例えば、ＧＭＬＣ５は、ローミング先の通信事業者がＬＴＥローミングによる基地局測位要求に対応しているか否かの基地局測位情報を通信事業者情報ＤＢに記憶しており、当該基地局測位情報に基づいて、基地局測位要求を送信するか、エラー応答（ＭＬＰ＿ＳＬＩＡ）を返却するかを決定するように構成されていてもよい。
【００８８】
また、上記実施の形態では、加入者情報管理装置としてＨＳＳを例にとって説明したが、本発明は、これに限られない。例えば、ＨＳＳの機能を含むＩＰサービス制御装置（Ｉｎｔｅｒｎｅｔ  Ｐｒｏｔｏｃｏｌ  Ｓｅｒｖｉｃｅ  Ｃｏｎｔｒｏｌ  Ｐｏｉｎｔ）にも適用できる。
また、上記実施の形態では、第１通信方式として３Ｇ方式、第２通信方式としてＬＴＥ方式を例にとって説明したが、本発明はこれに限られない。例えば、第２通信方式は第１通信方式に対して次世代の通信方式であればよい。したがって、第１通信方式が２Ｇ（第２世代移動通信システム）方式であり、第２通信方式が３Ｇ方式及びＬＴＥ方式のいずれか一方であっても本発明は適用できる。
【００８９】
本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００９０】
１、１００、２００  通信システム
３、５３  位置情報管理装置
５、１０５、２０５、４０５  ＧＭＬＣ
５ａ  通信サービス要求取得部
５ｂ、１１ｃ  在圏情報取得部
５ｃ  最新在圏情報判定部
５ｄ  判定結果情報送信部
１１、１６１  ＨＳＳ
１１ａ  位置登録信号受信部
１１ｂ  情報記憶部
１１ｂ−１  情報格納部
１１ｂ−２  最新在圏情報格納部
１１ｄ  在圏情報送信部
１３、１１３、２１３  ｘＧＳＮ
１３ａ  ＧＧＳＮ
１５、１１５、２１５  ＲＮＣ
１７、２１７  ＢＴＳ
１９、２１９、４１９  ＭＭＥ
２１、２２１  ｅＮｏｄｅＢ
２３   移動端末装置
２５、１５７  Ｐ−ＧＷ
３０  ＬＣＳ−Ｃｌｉｅｎｔ
４０  ＧＲＸ網
１１３ａ  ＧＧＳＮ
１５９  ＭＡＰＳ
２２２、４２７  Ｓ−ＧＷ
Ｅ１、Ｅ１０１、Ｅ２０１、Ｅ３０１  ３Ｇ在圏エリア
Ｅ２、Ｅ１０２、Ｅ２０２、Ｅ３０２  ＬＴＥ在圏エリア
【図１】
2014103550.tif 000003
【図２】
2014103550.tif 000004
【図３】
2014103550.tif 000005
【図４】
2014103550.tif 000006
【図５】
2014103550.tif 000007
【図６】
2014103550.tif 000008
【図７】
2014103550.tif 000009
【図８】
2014103550.tif 000010
【図９】
2014103550.tif 000011